(57)【要約】【課題】エヴォルブドパケットコア処理負荷を低減し、無線通信システム全体で最適な負荷分散を実現すること。【解決手段】第1の基地局は、上位局と第1の基地局との間で設定されるプロトコルと、該第1の基地局と中継局との間で設定されるプロトコルとの間を調整するための情報を保持する第２の基地局との間でインタフェースを設定する制御部と、該インタフェースを介して、上位局との間で通信を行う通信モジュールとを有する。中継局は、第２の基地局との間で設定されるインタフェースを介して、該第２の基地局との間で、プロトコルの設定を行う制御部を有する。【選択図】図１４
2013197895.tif 000002
【特許請求の範囲】
【請求項１】
第1の基地局と、該第1の基地局と無線通信を行う中継局とを有する無線通信システムであって、
前記第1の基地局は、
上位局と前記第1の基地局との間で設定されるプロトコルと、該第1の基地局と中継局との間で設定されるプロトコルとの間を調整するための情報を保持する第２の基地局との間でインタフェースを設定する制御部と、
該制御部により設定されたインタフェースを介して、上位局との間で通信を行う通信モジュールと
を有し、
前記中継局は、
前記第２の基地局との間で設定されるインタフェースを介して、該第２の基地局との間で、プロトコルの設定を行う制御部
を有する、無線通信システム。
【請求項２】
請求項１に記載の無線通信システムにおいて、
前記第１の基地局には、前記中継局のハンドオーバ先となる基地局が含まれる、無線通信システム。
【請求項３】
請求項１に記載の無線通信システムにおいて、
前記中継局の制御部は、前記第２の基地局から通知される接続再設定に含まれるハンドオーバ先となる基地局を表す情報に従って、該ハンドオーバ先となる基地局との間で、接続再設定を行う、無線通信システム。
【請求項４】
中継局と通信を行う基地局であって、
上位局と前記基地局との間で設定されるプロトコルと、該基地局と中継局との間で設定されるプロトコルとの間を調整するための情報を保持する他の基地局との間でインタフェースを設定する制御部と、
該制御部により設定されたインタフェースを介して、上位局との間で通信を行う通信モジュールと
を有する基地局。
【請求項５】
請求項４に記載の基地局において、
前記制御部は、所定のメッセージを送信してから、該所定のメッセージの応答を受信するまでの時間が所定の閾値未満である場合に、前記他の基地局との間でインタフェースを設定する、基地局。
【請求項６】
請求項４又は５に記載の基地局において、
前記制御部は、所定のメッセージを送信してから、該所定のメッセージの応答を受信するまでの時間が所定の閾値以上である場合に、前記他の基地局から前記情報を取得する、基地局。
【請求項７】
請求項６に記載の基地局において、
前記制御部は、前記上位局に、前記中継局配下のユーザ端末のパススイッチを要求する、基地局。
【請求項８】
請求項４ないし７のいずれか1項に記載の基地局において、
前記制御部は、前記他の基地局との間で所定のプロトコルトンネルを設定する、基地局。
【請求項９】
請求項４に記載の基地局において、
前記他の基地局は、複数のユーザ端末からの上りリンク信号をバンドリングして、前記上位局へ送信する、基地局。
【請求項１０】
基地局と無線通信を行う中継局であって、
上位局と前記基地局との間で設定されるプロトコルと、該基地局と前記中継局との間で設定されるプロトコルとの間を調整するための情報を保持する他の基地局との間で設定されるインタフェースを介して、該他の基地局との間で、プロトコルの設定を行う制御部
を有する、中継局。
【請求項１１】
第１の基地局と、該第１の基地局と無線通信を行う中継局とを有する無線通信システムにおける通信方法であって、
前記第１の基地局は、
上位局と前記第１の基地局との間で設定されるプロトコルと、該第１の基地局と中継局との間で設定されるプロトコルとの間を調整するための情報を保持する第２の基地局との間でインタフェースを設定し、該インタフェースを介して、上位局との間で通信を行い、
前記中継局は、
前記第２の基地局との間で設定されるインタフェースを介して、該第２の基地局との間で、プロトコルの設定を行う、通信方法。
【発明の詳細な説明】
【技術分野】
【０００１】
本発明は、無線通信システムに関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、第３世代無線通信システムの発展規格であるＬＴＥ（Ｌｏｎｇ  Ｔｅｒｍ  Ｅｖｏｌｕｔｉｏｎ）から、さらなる高速・大容量通信を実現するＬＴＥ−Ａｄｖａｎｃｅｄの検討が進められている。
【０００３】
ＬＴＥ−Ａｄｖａｎｃｅｄでは、周波数利用の効率化による高速・大容量通信に加え、セル端ユーザのスループットの向上や、容易なカバレッジエリアの拡大を目標としている。該目標を実現させるための一方法として、無線基地局（ｅＮＢ：  ｅＮｏｄｅＢ）に加えて、ドナー基地局（ＤｅＮＢ：  Ｄｏｎｏｒ  ｅＮＢ）とリレーノード（ＲＮ：  Ｒｅｌａｙ  Ｎｏｄｅ）の２種類を定義したリレー構成に関する検討が実施されている。
【０００４】
リレー構成を用いることのメリットの一つとして、安価に、エリア拡大をできることが挙げられる。交換局及び無線基地局などの無線通信システムを構成する装置間を接続するためのバックホール回線を不要にできることにより、物理回線コストを低減できるためである。リレーノードを使用することにより、リピータ等と比較して、設置位置等の制約が格段に少ないためである。リレー構成を採用することにより、特に災害地等におけるメリットが大きい。
【先行技術文献】
【非特許文献】
【０００５】
【非特許文献１】３ＧＰＰ  ＴＳ３６．３００  Ｖ１０．４．０、  “４．７  Ｓｕｐｐｏｒｔ  ｆｏｒ  ｒｅｌａｙｉｎｇ”、  ２０１１−０６
【非特許文献２】３ＧＰＰ  ＴＳ２９．２８１  Ｖ１０．２．０、  “４．２  ＧＴＰ−Ｕ  Ｔｕｎｎｅｌｓ”、“７．２．１  Ｅｃｈｏ  Ｒｅｑｕｅｓｔ”、“７．２．１  Ｅｃｈｏ  Ｒｅｓｐｏｎｓｅ”、  ２０１１−０６
【非特許文献３】３ＧＰＰ  ＴＳ３６．４２３  Ｖ１０．２．０、  “９．１．１．１  ＨＡＮＤＯＶＥＲ  ＲＥＱＵＥＳＴ”、  ２０１１−０６
【非特許文献４】ＲＦＣ４９６０、  “１．５．５．  Ｃｈｕｎｋ  Ｂｕｎｄｌｉｎｇ”、  “６．１０．  Ｂｕｎｄｌｉｎｇ”、Ｓｅｐｔｅｍｂｅｒ  ２００７
【非特許文献５】３ＧＰＰ  ＴＳ３６．４１３  Ｖ１０．２．０、  “９．１．５．８  ＰＡＴＨ  ＳＷＩＴＣＨ  ＲＥＱＵＥＳＴ”、“９．１．５．９  ＰＡＴＨ  ＳＷＩＴＣＨ  ＲＥＱＵＥＳＴ  ＡＣＫＮＯＷＬＥＤＧＥ”、  ２０１１−０６
【発明の概要】
【発明が解決しようとする課題】
【０００６】
リレー構成を用いない場合には、複数のユーザ端末（ＵＥ：  Ｕｓｅｒ  Ｅｑｕｉｐｍｅｎｔ）が略同時にハンドオーバ処理を実行することがあり得る。例えば、複数のユーザが乗っている移動体がセルを越えて移動した場合等に、該複数のユーザが有するユーザ端末のハンドオーバ処理が略同時に実行される。該移動体には、電車、バス等が含まれる。複数のユーザ端末のハンドオーバ処理が略同時に実行される場合、無線区間のリソースが不足すること等により、ハンドオーバの成功率が低減する可能性がある。
【０００７】
リレー構成を用いる場合について説明する。リレーノードは、ドナー基地局に対して、ユーザ端末としての機能を有するため、ハンドオーバ処理が可能である。
【０００８】
例えば、移動体にリレーノードを実装することにより、移動体がセルを越えて移動した場合でも、ドナー基地局と、リレーノードとの間でハンドオーバ処理を実施できる。ドナー基地局と、リレーノードとの間でハンドオーバ処理が実施されることにより、１つの無線回線のハンドオーバ処理で実施できる。このため、ハンドオーバの成功率が向上することが期待できる。また、リレー構成を用いることにより、各ユーザ端末では、ハンドオーバ処理を行う必要がないため、リレー構成を用いない場合よりも消費電力を低減できる。
【０００９】
上述したように、リレー構成を用いることにより、ドナー基地局とリレーノードとの間の無線区間のリソースを共通にできる。しかし、ハンドオーバの際に、エヴォルブドパケットコア（ＥＰＣ：  Ｅｖｏｌｖｅｄ  Ｐａｃｋｅｔ  Ｃｏｒｅ）は、該リレーノードの配下のユーザ端末分の処理が必要になるため、エヴォルブドパケットコアにおける処理負荷が増大するおそれがある。
【００１０】
また、複数のユーザが移動体に乗降する際には、該複数のユーザの有するユーザ端末により略同時に、ＮＡＳプロトコルで、トラッキングエリアアップデート（ＴＡＵ：  Ｔｒａｃｋｉｎｇ  Ａｒｅａ  Ｕｐｄａｔｅ）手順が実行されることが想定される。複数のユーザ端末により略同時に、ＴＡＵ手順が実行されるため、エヴォルブドパケットコアにおける処理負荷が増大するおそれがある。
【００１１】
開示の無線通信システムは、リレーノードのハンドオーバの際のエヴォルブドパケットコア処理負荷を低減し、無線通信システム全体で最適な負荷分散を実現することを目的とする。
【課題を解決するための手段】
【００１２】
開示の一実施例の無線通信システムは、
第1の基地局と、該第1の基地局と無線通信を行う中継局とを有する無線通信システムであって、
前記第1の基地局は、
上位局と前記第1の基地局との間で設定されるプロトコルと、該第1の基地局と中継局との間で設定されるプロトコルとの間を調整するための情報を保持する第２の基地局との間でインタフェースを設定する制御部と、
該制御部により設定されたインタフェースを介して、上位局との間で通信を行う通信モジュールと
を有し、
前記中継局は、
前記第２の基地局との間で設定されるインタフェースを介して、該第２の基地局との間で、プロトコルの設定を行う制御部
を有する。
【発明の効果】
【００１３】
開示の実施例によれば、リレーノードのハンドオーバの際、エヴォルブドパケットコアの処理負荷を低減し、無線通信システム全体で最適な負荷分散を実現することができる。
【図面の簡単な説明】
【００１４】
【図１】無線通信システムの一実施例を示す図である。
【図２】プロトコルスタックの一例を示す図である。
【図３】無線通信システムの一実施例を示す図である。
【図４】ＧＴＰ−Ｕトンネルの設定例を示す図である。
【図５】ドナー基地局の一実施例を示す図である。
【図６】Ｓ１ｐｒｏｘｙ情報の一実施例を示す図である。
【図７】ドナー基地局の一実施例を示す機能ブロック図である。
【図８】リレーノードの一実施例を示す図である。
【図９】リレーノードの一実施例を示す機能ブロック図である。
【図１０】無線通信システムの動作の一実施例を示すフローチャートである。
【図１１】遅延量測定の一実施例を示すフローチャートである。
【図１２】無線通信システムの一実施例を示すシーケンスチャートである。
【図１３】バンドリング処理の一実施例を示すフローチャートである。
【図１４】無線通信システムの一実施例を示すシーケンスチャートである。
【図１５】ハンドオーバリクエストの一実施例を示す図である。
【図１６】ルーティングリクエストの一実施例を示す図である。
【図１７】ルーティングレスポンスの一実施例を示す図である。
【図１８】ハンドオーバを設定する処理の一実施例を示す図である。
【図１９】無線通信システムの一実施例を示すシーケンスチャートである。
【図２０】グループパススイッチリクエストの一実施例を示す図である。
【図２１】グループパススイッチレスポンスの一実施例を示す図である。
【図２２】無線通信システムの一実施例を示すシーケンスチャートである。
【発明を実施するための形態】
【００１５】
以下、図面に基づいて、実施例を説明する。
なお、実施例を説明するための全図において、同一機能を有するものは同一符号を用い、繰り返しの説明は省略する。
【００１６】
＜無線通信システム＞
図１は、無線通信システムの一実施例を示す。
【００１７】
無線通信システムには、ＬＴＥに従って無線通信を行う基地局４００が含まれる。基地局４００は、Ｅ−ＵＴＲＡＮ  Ｎｏｄｅ−Ｂと呼ばれてもよい。基地局４００は、１又は複数のセルをカバーする。図１には、１つの基地局４００が示されるが、無線通信システムに、複数の基地局４００が含まれてもよい。基地局４００と、ＭＭＥ／Ｓ−ＧＷ５００ｎとの間は、インタフェースを介して接続される。該インタフェースは、基地局と、ＭＭＥ／Ｓ−ＧＷとの間のインタフェースであり、Ｓ１と呼ばれてもよい。
【００１８】
無線通信システムには、ドナー基地局１００が含まれる。図１には、１つのドナー基地局１００が示されるが、無線通信システムに、複数のドナー基地局１００が含まれてもよい。ドナー基地局１００は、基地局４００に、リレーノード２００との間で無線通信する機能を追加したものである。ドナー基地局１００は、１又は複数のセルをカバーする。ドナー基地局１００と、基地局４００との間は、インタフェースを介して接続される。該インタフェースは、ドナー基地局と、基地局との間のインタフェースであり、Ｘ２と呼ばれてもよい。また、ドナー基地局１００と、ＭＭＥ／Ｓ−ＧＷ５００ｎとの間は、インタフェースを介して接続される。該インタフェースは、ドナー基地局と、ＭＭＥ／Ｓ−ＧＷとの間のインタフェースであり、Ｓ１と呼ばれてもよい。また、ドナー基地局１００と、ＭＭＥ／Ｓ−ＧＷ５００ｎとの間は、インタフェースを介して接続される。該インタフェースは、ドナー基地局と、ＭＭＥ／Ｓ−ＧＷとの間のインタフェースであり、Ｓ１１と呼ばれてもよい。
【００１９】
無線通信システムには、ＬＴＥに従って無線通信を行うユーザ端末３００が含まれる。図１には、１つのユーザ端末が示されるが、無線通信システムに、複数のユーザ端末３００が含まれてもよい。ユーザ端末３００は、上りリンクでは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）に従って無線送信を行う。ユーザ端末３００は、下りリンクでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に従って送信された無線信号を受信する。ドナー基地局１００と、ユーザ端末３００との間、及び基地局４００と、ユーザ端末３００との間は、インタフェースを介して接続される。該インタフェースは、Ｕｕと呼ばれてもよい。
【００２０】
無線通信システムには、リレーノード２００が含まれる。リレーノード２００は、レイヤー３レベルで、ドナー基地局１００と、ユーザ端末３００との間の通信を中継するノードである。図１には、１つのリレーノード２００が示されるが、無線通信システムに、複数のリレーノード２００が含まれてもよい。リレーノード２００は、ドナー基地局１００からの下りリンクの無線信号の復調処理、復号処理を行う。さらに、リレーノード２００は、ユーザデータを再生し、秘匿、ユーザデータ分割・結合処理等を行い、符号化・変調後に、ユーザ端末３００に無線送信する。リレーノード２００は、ドナー基地局１００からＵｕを介在して受信する信号を端末に送信するだけでなく、端末３００からの上り信号もＵｕを介在してドナー基地局１００へ送信する。
【００２１】
リレーノード２００は、セルをカバーする。ドナー基地局１００と、リレーノード２００との間は、インタフェースを介して接続される。該インタフェースは、Ｓ１、Ｘ２、Ｕｎと呼ばれてもよい。リレーノード２００と、ユーザ端末３００との間は、インタフェースを介して接続される。該インタフェースは、Ｕｕと呼ばれてもよい。
【００２２】
無線通信システムは、ＭＭＥ／Ｓ−ＧＷ（Ｍｏｂｉｌｉｔｙ  Ｍａｎａｇｅｍｅｎｔ  Ｅｎｔｉｔｙ／Ｓｅｒｖｉｎｇ  Ｇａｔｅｗａｙ）５００ｎ（ｎは、ｎ＞０の整数）を有する。図１には、一例として、ｎ＝２の場合について示される。ＭＭＥ／Ｓ−ＧＷは、交換機により実現されてもよい。交換機には、Ｃ−Ｐｌａｎｅを管理するノードと、Ｕ−Ｐｌａｎｅを管理するノードとが含まれてもよい。Ｃ−Ｐｌａｎｅを管理するノードは、ＭＭＥ（Ｍｏｂｉｌｉｔｙ  Ｍａｎａｇｅｍｅｎｔ  Ｅｎｔｉｔｙ）と呼ばれてもよい。Ｃ−Ｐｌａｎｅを管理するノードは、ＵＥコンテキストを管理し、格納する。該ＵＥコンテキストには、ユーザ識別子、モビリティ状態、セキュリティ等が含まれる。Ｕ−Ｐｌａｎｅを管理するノードは、Ｓ−ＧＷ（Ｓｅｒｖｉｎｇ  Ｇａｔｅｗａｙ）と呼ばれてもよい。Ｕ−Ｐｌａｎｅを管理するノードは、ＵＥコンテキストを管理し、格納する。該ＵＥコンテキストには、ＩＰベアラサービスパラメータ、ルーティング情報等が含まれる。ＭＭＥ／Ｓ−ＧＷ５００ｎは、ＩＰネットワークを介して、ドナー基地局１００、基地局４００と接続される。
【００２３】
無線通信システムの一実施例では、Ｕｎと呼ばれる無線インタフェースが、ドナー基地局１００と、リレーノード２００との間に追加される。該Ｕｎを介して、リレーノード２００の配下のユーザ端末３００に、ＭＭＥ／Ｓ−ＧＷ５００ｎとドナー基地局１００との間で、Ｓ１を介して送受信される信号が伝送される。
【００２４】
リレー構成では、ＥＰＣと、ユーザ端末へのインパクトは最小限に抑えることが好ましい。ＥＰＣと、ユーザ端末へのインパクトを最小限に抑えるために、ＭＭＥからは、リレーノード２００及び該リレーノード配下のユーザ端末は、ドナー基地局１００配下のユーザ端末として認識される。また、ユーザ端末３００からは、リレーノード２００は、基地局として認識される。ユーザ端末３００からは、ＭＭＥへの通信において、ドナー基地局を経由してＥＰＣと接続していることを認識させない。
【００２５】
図２は、無線通信システムの一実施例におけるプロトコルスタックを示す。プロトコルスタックの詳細については、非特許文献１に記載されている。
【００２６】
基地局４００は、Ｅ−ＵＴＲＡ  Ｕ−Ｐｌａｎｅ、及びＣ−Ｐｌａｎｅを提供する。Ｕ−Ｐｌａｎｅを提供する際に、ＰＤＣＰ（Ｐａｃｋｅｔ  Ｄａｔａ  Ｃｏｎｖｅｒｇｅｎｃｅ  Ｐｒｏｔｏｃｏｌ）、ＲＬＣ（Ｒａｄｉｏ  Ｌｉｎｋ  Ｃｏｎｔｒｏｌ）、ＭＡＣ（Ｍｅｄｉｕｍ  Ａｃｃｅｓｓ  Ｃｏｎｔｒｏｌ）、ＰＨＹに関する処理を行う。Ｃ−Ｐｌａｎｅを提供する際に、ＲＲＣに関する処理を行う。基地局４００は、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＮｏｄｅ−Ｂと、ＲＮＣに相当する処理を行う。
【００２７】
ＭＭＥ／Ｓ−ＧＷ５００ｎとドナー基地局１００との間、及びドナー基地局１００とリレーノード２００との間に、Ｃ−ＰｌａｎｅにおいてはＳ１ＡＰ（Ｓ１  Ａｐｐｌｉｃａｔｉｏｎ  Ｐｒｏｔｏｃｏｌ）が設定され、Ｕ−ＰｌａｎｅにおいてはＧＴＰ−Ｕ（ＧＰＲＳ  Ｔｕｎｎｅｌｉｎｇ  Ｐｒｏｔｏｃｏｌ  Ｕｓｅｒ  ｐｌａｎｅ）（「ＧＴＰ」と記載）が設定される。また、ドナー基地局１００に搭載されるＳ１ｐｒｏｘｙ機能が、ＭＭＥ／Ｓ−ＧＷ５００ｎとリレーノード２００との間を調整することによりコーディネイトする。リレーノード２００とドナー基地局１００との間においては、Ｕｎインタフェースとして、無線ベアラがマッピングされる。該無線ベアラは、リレーノードを、ユーザ端末とした場合の無線ベアラである。
【００２８】
また、リレーノードをユーザ端末とした場合に、擬似的に、Ｓ−ＧＷ／Ｐ−ＧＷ（ＰＤＮ−ＧＷ）の機能をドナー基地局１００に実装する必要がある。このため、ドナー基地局１００と、ＭＭＥとの間に、Ｓ１１インタフェース（ＧＴＰ−Ｃ）を終端する機能が必要となる。
【００２９】
図２の上側には、Ｃ−Ｐｌａｎｅにおけるプロトコルスタック示される。
【００３０】
リレーノード２００には、Ｓ１ＡＰが搭載される。Ｓ１ＡＰは、ドナー基地局１００と、ＭＭＥとの間で必要な機能が規定される。Ｓ１ＡＰは、リレーノード２００と、ＭＭＥとの間で終端される。Ｓ１ＡＰは、ユーザ端末向けのユーザデータを伝送する通信回線を確立し、変更し、解放する機能、ハンドオーバ制御機能、及び待ち受け中のユーザ端末へ着信する機能等を有する。
【００３１】
Ｓ１ＡＰは、ＳＣＴＰ（Ｓｔｒｅａｍ  Ｃｏｎｔｒｏｌ  Ｔｒａｎｓｍｉｓｓｏｉｎ  Ｐｒｏｔｏｃｏｌ）及びＩＰを用いて、リレーノード２００と、ＭＭＥとの間で伝送される。また、Ｓ１ＡＰは、リレーノード２００が接続するドナー基地局１００において一度終端される。Ｓ１ＡＰがドナー基地局で終端されることにより、ＭＭＥは、接続されているリレーノードの数によらず、Ｓ１ＡＰを伝送するための通信回線をドナー基地局と確立すればよい。
【００３２】
図２の下側には、Ｕ−Ｐｌａｎｅにおけるプロトコルスタックが示される。
【００３３】
リレーノード２００には、ＧＴＰ−Ｕが搭載される。ＧＴＰ−Ｕは、ユーザデータをＳ−ＧＷからリレーノード２００まで転送する。
【００３４】
＜ドナー基地局１００＞
ハンドオーバ元のドナー基地局（以下、「サービングドナー基地局」という）からハンドオーバ先のドナー基地局（以下、「ターゲットドナー基地局」という）へ、リレーノード２００がハンドオーバする。サービングドナー基地局からターゲットドナー基地局へ、リレーノード２００がハンドオーバする際に、サービングドナー基地局は、Ｓ１ｐｒｏｘｙ機能に関するＳ１ｐｒｏｘｙ情報を保持する。Ｓ１ｐｒｏｘｙ情報を保持するサービングドナー基地局をアンカードナー基地局という。
【００３５】
リレーノード２００のハンドオーバの際に、サービングドナー基地局にＳ１ｐｒｏｘｙ情報を保持することにより、ユーザ端末３００、ＥＰＣ側のインパクトなしに、リレーノード２００をハンドオーバさせることができる。つまり、サービングドナー基地局から、ターゲットドナー基地局にＳ１ｐｒｏｘｙ情報を移動させるよりも、Ｓ１ｐｒｏｘｙ情報を保持することによりユーザ端末３００、ＥＰＣ側の処理を減少させることができる。
【００３６】
図３は、無線通信システムの一実施例を示す。
【００３７】
図３に示される例では、無線通信システムは、複数のドナー基地局１００ｍ（ｍは、ｍ＞０の整数）を有する。図３には、一例として、ｍ＝４の場合について示す。
【００３８】
ドナー基地局１００１からドナー基地局１００２へ、リレーノード２００がハンドオーバする。ドナー基地局１００２へ、リレーノード２００がハンドオーバすることにより、リレーノード２００は、ドナー基地局１００２との間で無線通信を行う。リレーノード２００とドナー基地局１００２との間で無線通信が行われる際、ドナー基地局１００２は、ＥＰＣとの間の通信をドナー基地局１００１経由で行う。Ｓ１ｐｒｏｘｙ情報をドナー基地局１００１に保持することで、この形態の通信を可能にする。ドナー基地局１００２とドナー基地局１００１との間には、当該信号を疎通させるためのパス（ＧＴＰ−ｕのトンネル）を確立する。
【００３９】
ドナー基地局１００２からドナー基地局１００３へ、リレーノード２００がハンドオーバする。ドナー基地局１００３へ、リレーノード２００がハンドオーバすることにより、リレーノード２００は、ドナー基地局１００３との間で無線通信を行う。リレーノード２００とドナー基地局１００３との間で無線通信が行われる際、ドナー基地局１００３は、ＥＰＣ６００との間の通信をドナー基地局１００１経由で行う。Ｓ１ｐｒｏｘｙ情報をドナー基地局１００１に保持することで、この形態の通信を可能にする。ドナー基地局１００３とドナー基地局１００１との間には、当該信号を疎通させるためのパス（ＧＴＰ−ｕのトンネル）を確立する。
【００４０】
ドナー基地局１００３からドナー基地局１００４へ、リレーノード２００がハンドオーバする場合を考える。上記と同様この際、ドナー基地局１００１にＳ１ｐｒｏｘｙ情報を保持するようにした場合、ドナー基地局１００１と、ドナー基地局１００４との間の距離が離れることにより処理遅延が大きくなる可能性がある。特に、Ｕ−ｐｌａｎｅの処理遅延が問題となる虞がある。
【００４１】
ドナー基地局１００４は、ドナー基地局１００１との間の伝送遅延が所定の閾値以上となるかどうかを判定する。伝送遅延は、ドナー基地局１００４と、ドナー基地局１００１との間で、Ｘ２ＡＰコネクションが確立されている場合には、トラヒック情報として測定されているものを利用してもよい。また、該Ｘ２ＡＰコネクションが確立されていない場合には、伝送遅延が所定の閾値以上と判断してもよい。
【００４２】
ドナー基地局１００１との間の伝送遅延が所定の閾値以上となると判定した場合、ドナー基地局１００４は、ドナー基地局１００１から、ドナー基地局１００４へＳ１ｐｒｏｘｙ情報を移動させる処理を行う。リレーノード２００とドナー基地局１００４との間で無線通信が行われる際、ドナー基地局１００４は、ドナー基地局１００１から、Ｓ１ｐｒｏｘｙ情報を取得する。ドナー基地局１００４が、ドナー基地局１００１から、Ｓ１ｐｒｏｘｙ情報を取得する際には、Ｘ２インタフェースを介して取得するようにしてもよい。また、ドナー基地局１００４が、ドナー基地局１００１から、Ｓ１ｐｒｏｘｙ情報を取得する際には、Ｓ１インタフェースを介して取得するようにしてもよい。
【００４３】
また、ドナー基地局１００１との間の伝送遅延が所定の閾値未満となると判定した場合、ドナー基地局１００４は、ドナー基地局１００１から、ドナー基地局１００４へＳ１ｐｒｏｘｙ情報を移動させる処理を行わない。リレーノード２００とドナー基地局１００４との間で無線通信が行われる際、ドナー基地局１００４は、ＥＰＣ６００との間の通信をドナー基地局１００１経由で行う。
【００４４】
また、Ｓ１ｐｒｏｘｙ情報を移動させる処理を行わない、リレーノード２００がハンドオーバする際に、アンカードナー基地局に、Ｓ１ｐｒｏｘｙ情報を保持する場合に、ターゲットドナー基地局とアンカードナー基地局との間に、ＧＴＰ−Ｕトンネルが設定されてもよい。ＧＴＰ−Ｕトンネルの詳細については、非特許文献２に記載されている。
【００４５】
ターゲットドナー基地局とアンカードナー基地局との間に設定されるＧＴＰ−Ｕトンネルは、ユーザ端末３００と、ＭＭＥとの間のＣ−ｐｌａｎｅ及びＵ−ｐｌａｎｅ転送専用とされる。ＧＴＰ−Ｕトンネルが設定されることにより、ターゲットドナー基地局は、インタフェースＵｕの無線フレームで受信されるデータを、送信元のユーザ端末の種別に拘わらず、ＧＴＰ−Ｕトンネルを介して、アンカードナー基地局に送信できる。アンカードナー基地局は、受信したＧＴＰ−Ｕのペイロードデータを、Ｓ１ｐｒｏｘｙ情報をもとに情報の変換処理を実施してＥＰＣに送信する。
【００４６】
また、アンカードナー基地局は、リレーノード２００向けに送信する信号を、ＧＴＰ−Ｕトンネルを介して、ターゲットドナー基地局に送信する。ターゲットドナー基地局は、ＧＴＰ−Ｕトンネルからのデータを、ハンドオーバ前と同じ方法で、Ｕｕの無線フレームに送信できる。
【００４７】
図４は、ＧＴＰ−Ｕトンネルの設定例を示す。
【００４８】
図４の上側は、通常のリレー構成時のＧＴＰ−Ｕトンネルが設定される前の状態を示す。つまり、リレーノード２００がハンドオーバする前の状態を示す。リレーノード２００がハンドオーバする前の状態では、リレーノード２００とサービングドナー基地局１００１との間に、Ｓ１ＡＰコネクションと、ＧＴＰトンネルとが設定される。また、リレーノード２００とサービングドナー基地局１００１との間は、インタフェースＵｎの無線ベアラが設定される。また、リレーノード２００がハンドオーバする前の状態では、サービングドナー基地局１００１とＥＰＣとの間に、Ｓ１ＡＰコネクションと、ＧＴＰトンネルとが設定される。
【００４９】
図４の下側は、Ｓ１ｐｒｏｘｙ情報を移動させないリレーノードハンドオーバ実施時のＧＴＰ−Ｕトンネルが設定される状態を示す。つまり、サービングドナー基地局１００１からターゲットドナー基地局１００２へ、リレーノード２００がＳ１ｐｒｏｘｙ情報を移動させないハンドオーバが実施された状態を示す。本状態では、サービングドナー基地局１００１とターゲットドナー基地局１００２との間に、ＧＴＰトンネルが設定される。また、本状態では、リレーノード２００とターゲットドナー基地局１００２との間に、Ｓ１ＡＰコネクションと、ＧＴＰトンネルとが設定される。また、リレーノード２００とターゲットドナー基地局１００２との間は、インタフェースＵｎの無線ベアラが設定される。また、サービングドナー基地局１００１とＥＰＣとの間に設定されている、Ｓ１ＡＰコネクションと、ＧＴＰトンネルは維持される。
【００５０】
サービングドナー基地局１００１とターゲットドナー基地局１００２との間に、ＧＴＰトンネルのＧＴＰペイロード部分に、リレーノード２００とターゲットドナー基地局１００２との間で通信される情報及びサービングドナー基地局１００１とＥＰＣとの間の情報を設定する。
【００５１】
＜ドナー基地局１００＞
図５は、ドナー基地局１００の一実施例を示す。
【００５２】
図５には、主に、ハードウェア構成が示される。
【００５３】
ドナー基地局１００は、光モジュール１０２と、ＲＦモジュール１０４と、ＣＰＵ１０６と、ＤＳＰ１０８とを有する。光モジュール１０２、ＲＦモジュール１０４、ＣＰＵ１０６、及びＤＳＰ１０８は、バス１５０により互いに接続される。
【００５４】
光モジュール１０２は、ＣＰＵ１０６による制御に従って、電気信号を光信号に変換し、ＭＭＥ／Ｓ−ＧＷ５００ｎに出力する。また、光モジュール１０２は、ＣＰＵ１０６による制御に従って、ＭＭＥ／Ｓ−ＧＷ５００ｎから入力された光信号を電気信号に変換し、ＣＰＵ１０６に入力する。光モジュール１０２は、当該ドナー基地局１００と、ＭＭＥ／Ｓ−ＧＷ５００ｎとの間を接続する。
【００５５】
ＲＦモジュール１０４は、ＣＰＵ１０６による制御に従って、ＤＳＰ１０８からのベースバンド信号を無線信号に変換し、リレーノード２００又はユーザ端末１００に送信する。また、ＲＦモジュール１０４は、ＣＰＵ１０６による制御に従って、リレーノード２００又はユーザ端末３００からの無線信号をベースバンド信号に変換し、ＣＰＵ１０６に入力する。ＲＦモジュール１０４は、当該ドナー基地局１００と、リレーノード２００又はユーザ端末３００との間を接続する。
【００５６】
ＣＰＵ１０６は、Ｓ１ｐｒｏｘｙ情報を格納する。ＣＰＵ１０６は、当該ドナー基地局１００の配下のリレーノードの配下のユーザ端末毎に、Ｓ１ｐｒｏｘｙ情報を管理する。さらに、ＣＰＵ１０６は、Ｓ１ｐｒｏｘｙ情報に基づいて、Ｎｏｄｅ識別情報及びＵＥ識別情報の変換を行う。
【００５７】
図６は、Ｓ１ｐｒｏｘｙ情報の一実施例を示す。
【００５８】
Ｓ１ｐｒｏｘｙ情報の一実施例には、Ｓ１−ＡＰメッセージの変換テーブルと、ＧＴＰメッセージの変換テーブルとが含まれる。つまり、Ｓ１ｐｒｏｘｙ情報により、ＥＰＣとドナー基地局との間で設定されるプロトコルと、ドナー基地局とリレーノードとの間で設定されるプロトコルとの間が調整される。
【００５９】
図６の上側には、Ｓ１−ＡＰメッセージの変換テーブルの一実施例が示される。Ｓ１−ＡＰメッセージの変換テーブルには、リレーノード２００と、ドナー基地局１００との間でのＳ１−ＭＭＥの通信で使用される、Ｎｏｄｅ情報（ＩＰアドレス）及びＵＥ情報（ＵＥｃｏｎｔｅｘｔＩＤ）の一覧を記載したテーブル（以下、「第１のＳ１−ＡＰメッセージ変換テーブル」という）が含まれる。第１のＳ１−ＡＰメッセージ変換テーブルは、ドナー基地局１００と、リレーノード２００が有する。
【００６０】
第１のＳ１−ＡＰメッセージ変換テーブルによれば、ＲＮ＃１のＩＰａｄｄｒｅｓｓは１９２．１６８．２．１０であり、ＤｅＮＢのＩＰａｄｄｒｅｓｓは１９２．１６８．２．１である。
【００６１】
ＵＥ＃１は、ＲＮ＃１の配下に位置し、ＵＥ＃１用のＳ１−ＡＰ信号を疎通させるために使用する、ＤｅＮＢとＲＮ＃１との間の無線インタフェースＵｎはＲＢ＃１である。ＲＮ＃１側ＵＥｃｏｎｔｅｘｔＩＤは１であり、ＤｅＮＢ側ＵＥｃｏｎｔｅｘｔＩＤは５００１である。
【００６２】
ＵＥ＃２は、ＲＮの配下に位置しないため（すなわち、ＲＮを介在せず、ＤｅＮＢが直接管理するＵＥであるため）、第１のＳ１−ＡＰメッセージ変換テーブルのＵＥ＃２に関係する部分は空欄になっている。
【００６３】
また、Ｓ１−ＡＰメッセージの変換テーブルには、ドナー基地局１００と、ＭＭＥとの間でのＳ１−ＭＭＥの通信で使用されるＮｏｄｅ情報（ＩＰアドレス）及びＵＥ情報（ＵＥｃｏｎｔｅｘｔＩＤ）の一覧を記載したテーブル（以下、「第２のＳ１−ＡＰメッセージ変換テーブル」という）が含まれる。第２のＳ１−ＡＰメッセージ変換テーブルは、ドナー基地局１００と、ＭＭＥが有する。
【００６４】
第２のＳ１−ＡＰメッセージ変換テーブルによれば、ＤｅＮＢのＩＰａｄｄｒｅｓｓは１９２．１６８．１．１０であり、ＭＭＥのＩＰａｄｄｒｅｓｓは１９２．１６８．１．２０である。
【００６５】
また、ＵＥ＃１に関して、ＤｅＮＢ側ＵＥｃｏｎｔｅｘｔＩＤは１であり、ＭＭＥ側ＵＥｃｏｎｔｅｘｔＩＤは５００１である。
【００６６】
ＣＰＵ１０６は、ＲＮ＃１から受信したＵＥ＃１に関するＳ１−ＡＰメッセージを受信した場合（ＩＰヘッダ内のＳｏｕｒｃｅＩＰアドレスが１９２．１６８．２．１０／ＴａｒｇｅｔＩＰアドレスが１９２．１６８．２．１であり、且つ、Ｓ１−ＡＰメッセージ内の対向Ｎｏｄｅ管理のＵＥｃｏｎｔｅｘｔＩＤが１／自Ｎｏｄｅ管理のＵＥｃｏｎｔｅｘｔＩＤが５００１であるパケットを受信した場合）、Ｓ１ｐｒｏｘｙ情報を用いて各種情報を変換して（ＩＰヘッダ内のＳｏｕｒｃｅＩＰアドレスを１９２．１６８．１．１０／ＴａｒｇｅｔＩＰアドレスを１９２．１６８．１．２０に各々変換し、Ｓ１−ＡＰメッセージ内の対向Ｎｏｄｅ管理のＵＥｃｏｎｔｅｘｔＩＤを１／自Ｎｏｄｅ管理のＵＥｃｏｎｔｅｘｔＩＤを５００１にそれぞれ変換して）、ＭＭＥ側に送信する。ＭＭＥからＵＥ＃１に関するＳ１−ＡＰメッセージを受信した場合も、同様な方法で変換し、ＲＮ＃１（ＵｕのＲＢ＃１）に送信する。
【００６７】
図６の下側には、ＧＴＰメッセージの変換テーブルの一実施例が示される。ＧＴＰメッセージの変換テーブルには、リレーノード２００と、ドナー基地局１００との間でのＳ１−ｕの通信で使用される、Ｎｏｄｅ情報（ＩＰアドレス）及びＵＥ情報（ＴＥＩＤ）の一覧を記載したテーブル（以下、「第１のＧＴＰメッセージ変換テーブル」という）が含まれる。第１のＧＴＰメッセージ変換テーブルは、ドナー基地局１００と、リレーノード２００が有する。
【００６８】
第１のＧＴＰメッセージ変換テーブルによれば、ＲＮ＃１のＩＰａｄｄｒｅｓｓは１９２．１６８．２．１０であり、ＤｅＮＢのＩＰａｄｄｒｅｓｓは１９２．１６８．２．１である。
【００６９】
ＵＥ＃１／ＲＢ＃１用のＳ１−ｕ信号を疎通させるために使用する、ＤｅＮＢとＲＮ＃１との間の無線インタフェースＵｎはＲＢ＃２である。ＲＮ＃１側のＴＥＩＤは１であり、ＤｅＮＢ側のＴＥＩＤは５００１である。
【００７０】
ＵＥ＃２は、ＲＮの配下に位置しないため（すなわち、ＲＮを介在せず、ＤｅＮＢが直接管理するＵＥであるため）、第１のＧＴＰメッセージ変換テーブルのＵＥ＃２に関係する部分は空欄になっている。
【００７１】
また、ＧＴＰメッセージの変換テーブルには、ドナー基地局１００と、Ｓ−ＧＷとの間でのＳ１−ｕの通信で使用されるＮｏｄｅ情報（ＩＰアドレス）及びＵＥ情報（ＵＥｃｏｎｔｅｘｔＩＤ）の一覧を記載したテーブル（以下、「第２のＧＴＰメッセージ変換テーブル」という）が含まれる。第２のＧＴＰメッセージ変換テーブルは、ドナー基地局１００、とＳ−ＧＷが有する。
【００７２】
第２のＧＴＰメッセージ変換テーブルによれば、ＤｅＮＢのＩＰａｄｄｒｅｓｓは１９２．１６８．１．１０であり、Ｓ−ＧＷのＩＰａｄｄｒｅｓｓは１９２．１６８．１．２０である。
【００７３】
ＵＥ＃１／ＲＢ＃１に関して、ＤｅＮＢ側ＴＥＩＤは１であり、Ｓ−ＧＷ側ＴＥＩＤは５００１である。
【００７４】
ＣＰＵ１０６は、ＲＮ＃１から受信したＳ１−ｕ信号（ＩＰヘッダ内のＳｏｕｒｃｅＩＰアドレスが１９２．１６８．２．１０／ＴａｒｇｅｔＩＰアドレスが１９２．１６８．２．１であり、且つ、ＧＴＰヘッダ内のＴＥＩＤが５００１であるパケットを受信した場合）、Ｓ１ｐｒｏｘｙ情報を用いて各種情報を変換して（ＩＰヘッダ内のＳｏｕｒｃｅＩＰアドレスを１９２．１６８．１．１０／ＴａｒｇｅｔＩＰアドレスを１９２．１６８．１．２０に各々変換し、ＧＴＰヘッダ内のＴＥＩＤを５００１に変換して）、Ｓ−ＧＷ側に送信する。Ｓ−ＧＷからＵＥ＃１／ＲＢ＃１に関するＳ１−ｕ信号を受信した場合も、同様な方法で変換し、ＲＮ＃１（ＵｕのＲＢ＃２）に送信する。
【００７５】
ＣＰＵ１０６は、呼処理制御を行う。つまり、ＣＰＵ１０６は、ユーザ端末３００との間で、ＲＲＣを終端する。ＣＰＵ１０６は、リレーノード２００との間で、Ｓ１ＡＰを終端する。ＣＰＵ１０６は、ＭＭＥとの間で、Ｓ１ＡＰを終端する。ＣＰＵ１０６は、他のドナー基地局との間で、Ｘ２ＡＰを終端する。ＣＰＵ１０６は、リレーノード２００との間で、Ｘ２ＡＰを終端する。
【００７６】
ＣＰＵ１０６は、伝送処理を行う。ＣＰＵ１０６は、リレーノード２００との間で、ＧＴＰ−Ｕ層を終端する。ＣＰＵ１０６は、ＭＭＥとの間で、ＧＴＰ−Ｕ層を終端する。ＣＰＵ１０６は、リレーノード２００との間で、ＳＣＴＰを終端する。ＣＰＵ１０６は、ＭＭＥとの間で、ＳＣＴＰを終端する。ＣＰＵ１０６は、リレーノード２００との間で、ＭＡＣを終端する。ＣＰＵ１０６は、リレーノード２００との間で、ＩＰを終端する。ＣＰＵ１０６は、ＭＭＥとの間で、ＩＰを終端する。ＣＰＵ１０６は、リレーノード２００との間で、ＵＤＰを終端する。ＣＰＵ１０６は、ＭＭＥとの間で、ＵＤＰを終端する。
【００７７】
ＤＳＰ１０８は、ベースバンド処理を行う。ＤＳＰ１０８は、ＣＰＵ１０６による制御に従って、Ｌ１層を終端するように制御する。ＤＳＰ１０８は、ＣＰＵ１０６による制御に従って、ＭＡＣ層を終端するように制御する。
【００７８】
ＤＳＰ１０８は、ベースバンド処理を行う。ＤＳＰ１０８は、ＣＰＵ１０６による制御に従って、ＭＡＣ層を終端する。ＤＳＰ１０８は、ＣＰＵ１０６による制御に従って、ＲＬＣ層を終端する。ＤＳＰ１０８は、ＣＰＵ１０６による制御に従って、ＰＤＣＰ層を終端する。
【００７９】
ＲＦモジュール１０４は、無線信号に、ＤＳＰ１０８からのベースバンド信号を変換する。
【００８０】
＜ドナー基地局１００の機能＞
図７は、ドナー基地局１００の一実施例を示す機能ブロック図である。
【００８１】
ドナー基地局１００は、ベースバンド処理部１０８２と、呼処理制御部１０６２と、伝送処理部１０６４と、メモリ１０６６とを有する。
【００８２】
ベースバンド処理部１０８２の機能は、ＤＳＰ１０８により実行される。ベースバンド処理部１０８２は、ＲＦモジュール１０４との間で、データの入出力を行う。ベースバンド処理部１０８２は、ＣＰＵ１０６との間で情報の入出力を行う。ベースバンド処理部１０８２は、トラヒックを監視する。具体的には、セル状態を監視する。ベースバンド処理部１０８２は、秘匿設定及び解除を行う。ベースバンド処理部１０８２は、ＭＡＣ多重及び分離を行う。ベースバンド処理部１０８２は、同期処理を行う。ベースバンド処理部１０８２は、ページング処理を行う。
【００８３】
呼処理制御部１０６２の機能は、ＣＰＵ１０６により実行される。呼処理制御部１０６２は、ベースバンド処理部１０８２と接続される。呼処理制御部１０６２は、呼処理を行う。呼処理制御部１０６２は、Ｓ１ｐｒｏｘｙ情報を転送する際の制御を行う。呼処理制御部１０６２は、当該ドナー基地局１００と、ユーザ端末３００との間の接続制御を行う。さらに、呼処理制御部１０６２は、当該ドナー基地局１００と、ユーザ端末３００との間の接続管理を行う。
【００８４】
伝送処理部１０６４の機能は、ＣＰＵ１０６により実行される。伝送処理部１０６４は、ベースバンド処理部１０８２、及び呼処理制御部１０６２と接続される。伝送処理部１０６４は、リソース管理を行う。伝送処理部１０６４は、ユーザ端末３００から通知された下りリンクの受信品質を解析する。具体的には、伝送処理部１０６４は、該ユーザ端末３００をハンドオーバさせるべきかどうかを判断する。
【００８５】
メモリ１０６６は、ＣＰＵ１０６に実装される。メモリ１０６６は、呼処理制御部１０６２と接続される。メモリ１０６６には、Ｓ１ｐｒｏｘｙ情報が格納される。
【００８６】
＜リレーノード２００＞
図８は、リレーノード２００の一実施例を示す。
【００８７】
図８には、主に、ハードウェア構成が示される。
【００８８】
リレーノード２００は、ＲＦモジュール２０４と、ＣＰＵ２０６と、ＤＳＰ２０８とを有する。ＲＦモジュール２０４、ＣＰＵ２０６、及びＤＳＰ２０８は、バス２５０により互いに接続される。
【００８９】
ＲＦモジュール２０４は、ＣＰＵ２０６による制御に従って、ＤＳＰ２０８からのベースバンド信号を無線信号に変換し、ユーザ端末３００又はドナー基地局１００に送信する。また、ＲＦモジュール２０４は、ＣＰＵ２０６による制御に従って、ユーザ端末３００からの無線信号をベースバンド信号に変換し、ＣＰＵ２０６に入力する。ＲＦモジュール２０４は、当該リレーノード２００と、ユーザ端末３００との間を接続する。また、ＲＦモジュール２０４は、ＣＰＵ２０６による制御に従って、ドナー基地局１００からの無線信号をベースバンド信号に変換し、ＣＰＵ２０６に入力する。ＲＦモジュール２０４は、当該リレーノード２００と、ドナー基地局１００との間を接続する。
【００９０】
ＣＰＵ２０６は、Ｓ１ｐｒｏｘｙ情報を格納する。ＣＰＵ２０６は、当該リレーノード２００の配下のユーザ端末毎に、Ｓ１ｐｒｏｘｙ情報を管理する。さらに、ＣＰＵ２０６は、Ｓ１ｐｒｏｘｙ情報に基づいて、ＮＡＴ変換を行う。ＣＰＵ２０６は、図６に示される第１のＳ１−ＡＰメッセージ変換テーブルと、第１のＧＴＰメッセージ変換テーブルとを格納する。
【００９１】
ＣＰＵ２０６は、呼処理制御を行う。つまり、ＣＰＵ２０６は、ユーザ端末３００との間で、ＲＲＣを終端する。ＣＰＵ２０６は、ドナー基地局１００との間で、Ｓ１ＡＰを終端する。ＣＰＵ２０６は、他のドナー基地局との間で、Ｘ２ＡＰを終端する。ＣＰＵ２０６は、ドナー基地局１００との間で、Ｘ２ＡＰを終端する。
【００９２】
ＣＰＵ２０６は、伝送処理を行う。ＣＰＵ２０６は、ドナー基地局１００との間で、ＧＴＰ−Ｕ層を終端する。ＣＰＵ１０６は、ドナー基地局１００との間で、ＳＣＴＰを終端する。ＣＰＵ２０６は、ドナー基地局１００との間で、ＩＰを終端する。ＣＰＵ２０６は、ドナー基地局１００との間で、ＵＤＰを終端する。
【００９３】
ＤＳＰ２０８は、ベースバンド処理を行う。ＤＳＰ２０８は、ＣＰＵ２０６による制御に従って、Ｌ１層を終端するように制御する。ＤＳＰ２０８は、ＣＰＵ２０６による制御に従って、ＭＡＣ層を終端するように制御する。
【００９４】
ＤＳＰ２０８は、ベースバンド処理を行う。ＤＳＰ２０８は、ＣＰＵ２０６による制御に従って、ＭＡＣ層を終端する。ＤＳＰ２０８は、ＣＰＵ２０６による制御に従って、ＲＬＣ層を終端する。ＤＳＰ２０８は、ＣＰＵ２０６による制御に従って、ＰＤＣＰ層を終端する。
【００９５】
ＲＦモジュール１０４は、無線信号に、ＤＳＰ２０８からのベースバンド信号を変換する。
【００９６】
＜リレーノード２００の機能＞
図９は、リレーノード２００の一実施例を示す機能ブロック図である。
【００９７】
ドナー基地局１００は、第１のベースバンド処理部２０８２と、第２のベースバンド処理部２０８４と、呼処理制御部２０６２と、伝送処理部２０６４と、メモリ２０６６とを有する。
【００９８】
第１のベースバンド処理部２０８２の機能は、ＤＳＰ２０８により実行される。第１のベースバンド処理部２０８２は、ＲＦモジュール２０４との間で、データの入出力を行う。第１のベースバンド処理部２０８２は、ＣＰＵ２０６との間で情報の入出力を行う。第１のベースバンド処理部２０８２は、ユーザ端末としての機能を有する。第１のベースバンド処理部２０８２は、トラヒックを監視すると共に、セルの状態を監視する。第１のベースバンド処理部２０８２は、セルを探索する際の制御を行う。第１のベースバンド処理部２０８２は、秘匿設定及び解除を行う。第１のベースバンド処理部２０８２は、ＭＡＣ多重及び分離を行う。第１のベースバンド処理部２０８２は、同期処理を行う。
【００９９】
第２のベースバンド処理部２０８４の機能は、ＤＳＰ２０８により実行される。第２のベースバンド処理部２０８４は、ＲＦモジュール２０４との間で、データの入出力を行う。第２のベースバンド処理部２０８４は、ＣＰＵ２０６との間で情報の入出力を行う。第２のベースバンド処理部２０８２は、基地局としての機能を有する。第２のベースバンド処理部２０８４は、トラヒックを管理する。具体的には、ＧＴＰの管理を行う。また、第２のベースバンド処理部２０８４は、トラヒック転送を行う。具体的には、ＧＴＰの転送処理を行う。また、第２のベースバンド処理部２０８４は、トラヒックを監視すると共に、セルの状態を監視する。また、第２のベースバンド処理部２０８４は、秘匿設定及び解除を行う。第２のベースバンド処理部２０８４は、ＭＡＣ多重及び分離を行う。第２のベースバンド処理部２０８４は、同期処理を行う。第２のベースバンド処理部２０８４は、ページング処理を行う。
【０１００】
呼処理制御部２０６２の機能は、ＣＰＵ２０６により実行される。呼処理制御部２０６２は、第１のベースバンド処理部２０８２及び第２のベースバンド処理部２０８４と接続される。呼処理制御部２０６２は、ユーザ端末としての機能と、基地局としての機能とを有する。呼処理制御部２０６２は、ユーザ端末としての機能を実行する際に、ドナー基地局１００との間で呼処理を行う。呼処理制御部２０６２は、基地局としての機能を実行する際に、ユーザ端末３００との間で呼処理を行う。呼処理制御部２０６２は、ユーザ端末としての機能を実行する際に、当該リレーノード２００と、ドナー基地局との間の接続管理を行う。呼処理制御部２０６２は、基地局としての機能を実行する際に、当該リレーノード２００と、ユーザ端末３００との間の接続管理を行う。また、呼処理制御部２０６２は、基地局としての機能を実行する際に、当該リレーノード２００と接続するユーザ端末のハンドオーバ制御を行う。
【０１０１】
伝送処理部２０６４の機能は、ＣＰＵ２０６により実行される。伝送処理部２０６４は、第１のベースバンド処理部２０８２と、第２のベースバンド処理部２０８４と、呼処理制御部２０６２と接続される。伝送処理部２０６４は、ユーザ端末としての機能と、基地局としての機能とを有する。伝送処理部２０６４は、ユーザ端末としての機能を実行する際に、リソース管理を行う。伝送処理部２０６４は、基地局としての機能を実行する際に、リソース管理を行う。伝送処理部２０６４は、基地局としての機能を実行する際に、当該リレーノード２００と接続するユーザ端末３００のハンドオーバ制御を行う。
【０１０２】
メモリ２０６６は、ＣＰＵ２０６に実装される。メモリ２０６６は、呼処理制御部２０６２と接続される。メモリ２０６６には、Ｓ１ｐｒｏｘｙ情報が格納される。
【０１０３】
＜無線通信システムの動作＞
図１０は、無線通信システムの動作の一実施例を示す。
【０１０４】
図１０に示される例では、リレーノード２００が搭載された移動体が移動する場合について説明する。
【０１０５】
ドナー基地局１００は、Ｘ２インタフェースが確立されている他のドナー基地局との間の遅延量を周期的に測定する（ステップＳ１００２）。つまり、ドナー基地局１００の伝送処理部１０６４により遅延量が周期的に測定される。ここで遅延量はドナー基地局１００と他のドナー基地局との物理的距離、およびネットワークトラフィックによるものであり、ハンドオーバ先となるターゲットドナー基地局の違いによって変化するものである。そのため本実施例ではハンドオーバ先となるターゲットドナー基地局によって異なる遅延量に基づいて、異なるハンドオーバの手続きのうちのいずれかを選択するものである。
【０１０６】
移動体へのユーザの乗車に伴い、ユーザ端末３００は、ドナー基地局１００とリレーノード２００との間でハンドオーバを実施する（ステップＳ１００４）。
【０１０７】
移動体の移動に伴って、リレーノード２００が移動する。リレーノード２００の移動に伴って、サービングドナー基地局は、ハンドオーバ処理を開始する（ステップＳ１００６）。
【０１０８】
ターゲットドナー基地局は、遅延量が閾値以上であるかどうかを判定する（ステップＳ１００８）。
【０１０９】
遅延量が閾値未満であると判定された場合（ステップＳ１００８：ＮＯ）、ターゲットドナー基地局は、Ｓ１ｐｒｏｘｙ情報を引き継がないハンドオーバを実施する（ステップＳ１０１０）。
【０１１０】
遅延量が閾値以上であると判定された場合（ステップＳ１００８：ＹＥＳ）、ターゲットドナー基地局は、Ｓ１ｐｒｏｘｙ情報を引き継ぐハンドオーバを実施する（ステップＳ１０１２）。
【０１１１】
移動体からの降車に伴い、ユーザ端末３００は、リレーノード２００と、ドナー基地局１００との間でハンドオーバを実施する（ステップＳ１０１４）。
【０１１２】
図１０に示されるフローチャートにおいて、ステップＳ１００６−ステップＳ１０１２の処理は、移動体が目的値に到着するまで、必要に応じて複数回実施される。
【０１１３】
＜遅延量を算出する処理＞
図１１は、遅延量を算出する処理の一実施例を示す。図１１には、図１０のステップＳ１００２に相当する処理の詳細が示される。
【０１１４】
図１１に示される例では、ドナー基地局１００１により、ドナー基地局１００２との間の遅延量が算出される。また、図１１に示される例では、Ｅｃｈｏ  Ｒｅｑｕｅｓｔと、Ｅｃｈｏ  Ｒｅｓｐｏｎｓｅとを用いて、メッセージが送信されてから受信されるまでの時間に基づいて、遅延量が算出される。Ｅｃｈｏ  Ｒｅｑｕｅｓｔ、及びＥｃｈｏ  Ｒｅｓｐｏｎｓｅは、ＧＴＰの接続確認のために定期的に実施されるようにしてもよい。Ｅｃｈｏ  Ｒｅｑｕｅｓｔ、及びＥｃｈｏ  Ｒｅｓｐｏｎｓｅについては、非特許文献２に記載されている。
【０１１５】
図１１には、ドナー基地局１００の伝送処理部１０６４により実行される処理が主に示される。
【０１１６】
ドナー基地局１００１において、ＧＴＰ−Ｕメッセージ送信周期が到来する（ステップＳ１１０２）。
【０１１７】
ドナー基地局１００１は、ＧＴＰ−Ｕプロトコルで、「エコーリクエスト（Ｅｃｈｏ  Ｒｅｑｕｅｓｔ）」を送信する（ステップＳ１１０４）。
【０１１８】
ドナー基地局１００１は、ＧＴＰ−Ｕプロトコルで、ドナー基地局１００２からの「エコーレスポンス（Ｅｃｈｏ  Ｒｅｓｐｏｎｓｅ）」を受信する（ステップＳ１１０６）。
【０１１９】
ドナー基地局１００１は、ＧＴＰ−Ｕメッセージ（エコーリクエスト）の送信時刻を「Ｔ２」、ＧＴＰ−Ｕ応答メッセージ（エコーレスポンス）の受信時刻を「Ｔ１」とする（ステップＳ１１０８）。
【０１２０】
ドナー基地局１００１は、遅延量ΔＴを測定する（ステップＳ１１１０）。具体的には、ドナー基地局１００１は、ΔＴ＝（Ｔ１−Ｔ２）／２を算出することにより遅延量を算出する。ドナー基地局１００１は、遅延量を保持する。
【０１２１】
ドナー基地局１００１は、遅延量がｌ回算出されたかどうかを判定する（ステップＳ１１１２）。
【０１２２】
ｌ回算出されたと判定されない場合（ステップＳ１１１２：ＮＯ）、ステップＳ１１０２に戻る。
【０１２３】
ｌ回算出されたと判定された場合（ステップＳ１１１２：ＹＥＳ）、ドナー基地局１００１は、ｌ回算出された遅延量を平均化する。ドナー基地局１００１は、平均化の結果得られた平均値を遅延量とする（ステップＳ１１１４）。
【０１２４】
＜移動体に乗車する際の動作＞
図１２は、ソースドナー基地局１００２配下のユーザ端末３００が、リレーノード２００にハンドオーバする際の動作について示される。図１２には、図１０のステップＳ１００４に相当する処理の詳細が示される。図１２には、アンカードナー基地局１００１が、ユーザ端末３００のＳ１ｐｒｏｘｙ情報を有している場合について示す。すなわち、リレーノードとアンカードナー基地局の通信は、ソースドナー基地局とアンカードナー基地局との間に設定される専用のＧＴＰトンネル経由で実施される。専用のＧＴＰトンネルで疎通される部分は図１２における太線で表現される。アンカードナー基地局１００１と、ソースドナー基地局１００２とが同じ基地局である場合もあり、その場合は、以下の説明における、アンカードナー基地局とソースドナー基地局の間の通信は割愛される。
【０１２５】
リレーノード２００が搭載された移動体が駅等において、乗客が乗車中であるかどうかは、ドナー基地局からリレーノードへのハンドオーバが最初に発生することにより判断する。また、リレーノード２００が搭載された移動体が駅等において、乗客が乗車中であるかどうかは、リレーノードから通知されることにより判断するようにしてもよい。例えば、リレーノード２００は、Ｓ１ＡＰプロトコルにより通知してもよい。また、リレーノード２００が搭載された移動体が駅等において、乗客が乗車中であるかどうかは、ドナー基地局により判断するようにしてもよい。例えば、移動体の運行情報等を含むＯＡＭ（Ｏｐｅｒａｔｉｏｎ  Ａｄｍｉｎｉｓｔｒａｔｉｏｎ  Ｍａｉｎｔｅｎａｎｃｅ）情報、移動速度に基づいて判断するようにしてもよい。
【０１２６】
ユーザ端末３００は、ソースドナー基地局１００２に、ＲＲＣプロトコルで、「メジャメントレポート（ＭＥＡＳＵＲＥＭＥＮＴ  ＲＥＰＯＲＴ）」を送信する（ステップＳ１２０２）。
【０１２７】
ソースドナー基地局１００２は、アンカードナー基地局１００１に、Ｘ２ＡＰプロトコルで、「ハンドオーバリクエスト（ＨＡＮＤＯＶＥＲ  ＲＥＱＵＥＳＴ）」を送信する（ステップＳ１２０４）。ソースドナー基地局１００２の呼処理制御部１０６２は、伝送処理部１０６４及び光モジュール１０２を介してアンカードナー基地局１００１にハンドオーバリクエストを送信する。リレーノード２００のセルは、アンカードナー基地局１００１により管理されているように、隣接ノードには認識される。従って、ソースドナー基地局１００２は、アンカードナー基地局１００１に、ハンドオーバリクエストを送信する。
【０１２８】
アンカードナー基地局１００１は、リレーノード２００に、Ｘ２ＡＰプロトコルで、「ハンドオーバリクエスト（ＨＡＮＤＯＶＥＲ  ＲＥＱＵＥＳＴ）」を送信する（ステップＳ１２０６）。アンカードナー基地局１００１の呼処理制御部１０６２は、伝送処理部１０６４及び光モジュール１０２を介して、ソースドナー基地局１００２にハンドオーバリクエストを送信する。本ハンドオーバリクエストは、ソースドナー基地局１００２の光モジュール１０２を介して伝送処理部１０６４で受信され、ベースバンド処理部１０８２から、ＲＦモジュール１０４を介してリレーノード２００に送信される。
【０１２９】
リレーノード２００は、アンカードナー基地局１００１に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ１２０８）。リレーノード２００の呼処理制御部２０６２は、伝送処理部２０６４、第１のベースバンド処理部２０８２、及びＲＦモジュール２０４を介在して、ハンドオーバリクエストアクノリッジを送信する処理を行う。ハンドオーバリクエストアクノリッジは、ソースドナー基地局１００２のベースバンド処理部１０８２で、ＲＦモジュール１０４を介して受信され、伝送処理部１０６４からアンカードナー基地局１００１に送信される。
【０１３０】
アンカードナー基地局１００１は、ソースドナー基地局１００２に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ１２１０）。アンカードナー基地局１００１の呼処理制御部１０６２は、伝送処理部１０６４及び光モジュール１０２を介して、ハンドオーバリクエストアクノリッジをソースドナー基地局１００２に送信する。
【０１３１】
ソースドナー基地局１００２は、アンカードナー基地局１００１に、Ｘ２ＡＰプロトコルで、「ＳＮステータストランスファ（ＳＮ  ＳＴＡＴＵＳ  ＴＲＡＮＳＦＥＲ）」を送信する（ステップＳ１２１２）。ソースドナー基地局１００２の呼処理制御部１０６２は、伝送処理部１０６４、及び光モジュール１０２を介して、ＳＮステータストランスファをアンカードナー基地局１００１に送信する。
【０１３２】
アンカードナー基地局１００１は、リレーノード２００に、Ｘ２ＡＰプロトコルで、「ＳＮステータストランスファ（ＳＮ  ＳＴＡＴＵＳ  ＴＲＡＮＳＦＥＲ）」を送信する（ステップＳ１２１４）。アンカードナー基地局１００１の呼処理制御部１０６２は、伝送処理部１０６４、及び光モジュール１０２を介して、ＳＮステータストランスファをソースドナー基地局１００２に送信する。ＳＮステータストランスファは、ソースドナー基地局１００２の伝送処理部１０６４で、光モジュール１０２を介して受信され、ベースバンド処理部１０８２から、ＲＦモジュール１０４を介してリレーノード２００に送信される。
【０１３３】
ソースドナー基地局１００２は、ユーザ端末３００に、ＲＲＣプロトコルで、「ＲＲＣコネクションリコンフィグレーション（ＲＲＣ  ＣＯＮＮＥＣＴＩＯＮ  ＲＥＣＯＮＦＩＧＵＲＡＴＩＯＮ）」を送信する（ステップＳ１２１６）。ソースドナー基地局１００２の呼処理制御部１０６２は、ベースバンド処理部１０８２、及びＲＦモジュール１０４を介してＲＲＣコネクションリコンフィグレーションをユーザ端末３００に送信する。
【０１３４】
ユーザ端末３００は、リレーノード２００に、ＲＲＣプロトコルで、「ＲＲＣコネクションリコンフィグレーションコンプリート（ＲＲＣ  ＣＯＮＮＥＣＴＩＯＮ  ＲＥＣＯＮＦＩＧＵＲＡＴＩＯＮ  ＣＯＭＰＬＥＴＥ）」を送信する（ステップＳ１２１８）。
【０１３５】
リレーノード２００は、ＥＰＣ６００に、Ｓ１ＡＰプロトコルで、「パススイッチリクエスト（ＰＡＴＨ  ＳＷＩＴＣＨ  ＲＥＱＵＥＳＴ）」を送信する（ステップＳ１２２０）。リレーノード２００の呼処理制御部２０６２は、伝送処理部２０６４及び第１のベースバンド処理部２０８２及びＲＦモジュール２０４を介してパススイッチリクエストをソースドナー基地局１００２に送信する。パススイッチリクエストは、ソースドナー基地局１００２及びアンカードナー基地局１００１を経由してＥＰＣ６００に送信される。
【０１３６】
ＥＰＣ６００は、リレーノード２００に、Ｓ１ＡＰプロトコルで、「パススイッチリクエストアクノリッジ（ＰＡＴＨ  ＳＷＩＴＣＨ  ＲＥＱＵＥＳＴ  ＡＣＫＮＯＷＬＥＤＧＥ）」を送信する（ステップＳ１２２２）。
【０１３７】
リレーノード２００は、アンカードナー基地局１００１に、Ｘ２ＡＰプロトコルで、「ＵＥコンテキストリリース（ＵＥ  ＣＯＮＴＥＸＴ  ＲＥＬＥＡＳＥ）」を送信する（ステップＳ１２２４）。リレーノード２００の呼処理制御部２０６２は、伝送処理部２０６４及び第１のベースバンド処理部２０８２及びＲＦモジュール２０４を介して、ＵＥコンテキストリリースをソースドナー基地局１００２に送信する。ＵＥコンテキストリリースは、ソースドナー基地局１００２経由でアンカードナー基地局１００１に送信される。
【０１３８】
アンカードナー基地局１００１は、ソースドナー基地局１００２に、Ｘ２ＡＰプロトコルで、「ＵＥコンテキストリリース（ＵＥ  ＣＯＮＴＥＸＴ  ＲＥＬＥＡＳＥ）」を送信する（ステップＳ１２２６）。アンカードナー基地局１００１の呼処理制御部１０６２は、伝送処理部１０６４及び光モジュール１０２を介して、ＵＥコンテキストリリースをソースドナー基地局１００２に送信する。
【０１３９】
ユーザ端末３００は、ＥＰＣ６００に、ＮＡＳプロトコルで、「トラッキングエリアアップデートリクエスト（ＴＡＵ  Ｒｅｑ）」を送信する（ステップＳ１２２８）。ユーザ端末３００により送信されたトラッキングエリアアップデートリクエストは、ソースドナー基地局１００２、アンカードナー基地局１００１を経由して、ＥＰＣ６００に送信される。アンカードナー基地局１００１は、このＮＡＳプロトコルで送信される上りリンクのメッセージに対して、ＳＴＣＰ層におけるバンドリング処理を実施する。つまり、ＳＣＴＰ層以下のヘッダ情報を共通化させる。ＳＴＣＰ層におけるバンドリング処理を実施することにより、ＥＰＣ６００における処理負荷を低減できる。
【０１４０】
ＥＰＣ６００は、ユーザ端末３００に、ＮＡＳプロトコルで、「トラッキングエリアアップデートアクセプト（ＴＡＵ  Ａｃｃｅｐｔ）」を送信する（ステップＳ１２３０）。
【０１４１】
ユーザ端末３００は、ＥＰＣ６００に、ＮＡＳプロトコルで、「トラッキングエリアアップデートコンプリート（ＴＡＵ  Ｃｏｍｐｌｅｔｅ）」を送信する（ステップＳ１２３２）。
【０１４２】
＜上りリンクのメッセージのバンドリング処理＞
図１３は、アンカードナー基地局１００１により実施される上りリンクのＮＡＳメッセージのバンドリング処理の一実施例を示す。図１３には、図１２のステップＳ１２２８、Ｓ１２３２に相当する処理が示される。
【０１４３】
アンカードナー基地局１００１は、乗車中の状態であるかどうかを判定する（ステップＳ１３０２）。つまり、アンカードナー基地局１００１の呼処理制御部１０６２は、当該アンカードナー基地局１００１により管理されるリレーノードが搭載された移動体にユーザが乗車している状態であるかどうかを判定する。
【０１４４】
乗車している状態でないと判定されない場合（ステップＳ１３０２：ＮＯ）、終了する。つまり、上りリンクのＮＡＳメッセージのバンドリングは行われない。
【０１４５】
乗車している状態であると判定された場合（ステップＳ１３０２：ＹＥＳ）、アンカードナー基地局１００１は、タイマーＴ１を開始する（ステップＳ１３０４）。つまり、アンカードナー基地局１００１の呼処理制御部１０６２は、タイマーＴ１を開始するとともに、伝送処理部１０６４に、上りリンクのＮＡＳメッセージのバンドリング開始指示を行う。タイマーＴ１は、移動体が停車している時間程度の長さに設定される。
【０１４６】
アンカードナー基地局１００１は、タイマーＴ２を開始する（ステップＳ１３０６）。つまり、アンカードナー基地局１００１の伝送処理部１０６４は、タイマーＴ２を開始する。タイマーＴ２は、ＮＡＳ通信に障害が発生しない程度の時間に設定される。
【０１４７】
アンカードナー基地局１００１は、タイマーＴ２が継続されている間、上りリンクのＮＡＳメッセージのキューイングを行う（ステップＳ１３０８）。つまり、アンカードナー基地局１００１の伝送処理部１０６４は、上りリンクのＮＡＳメッセージのキューイングを行う。具体的には、ユーザ端末３００からのトラッキングエリアアップデートリクエスト、及びトラッキングエリアアップデートコンプリート等のキューイングを行う。
【０１４８】
アンカードナー基地局１００１は、タイマーＴ２が満了すること、及びＭＴＵ（Ｍａｘｉｍｕｍ  Ｔｒａｎｓｍｉｓｓｉｏｎ  Ｕｎｉｔ）を超過することの少なくとも一方に該当するかどうかを判定する（ステップＳ１３１０）。つまり、アンカードナー基地局１００１の伝送処理部１０６４は、タイマーＴ２が満了すること、及びＭＴＵ（Ｍａｘｉｍｕｍ  Ｔｒａｎｓｍｉｓｓｉｏｎ  Ｕｎｉｔ）を超過することの少なくとも一方に該当するかどうかを判定する。
【０１４９】
タイマーＴ２が満了すること、及びＭＴＵを超過することのいずれにも該当しない場合（ステップＳ１３１０：ＮＯ）、ステップＳ１３０８に戻る。
【０１５０】
タイマーＴ２が満了すること、及びＭＴＵを超過することの少なくとも一方に該当する場合（ステップＳ１３１０：ＹＥＳ）、アンカードナー基地局１００１は、ＳＣＴＰプロトコルで、キューイングされた上りリンクのＮＡＳメッセージをバンドリングして送信する（ステップＳ１３１２）。つまり、アンカードナー基地局１００１の伝送処理部１０６４は、ＳＣＴＰプロトコルで、キューイングされた上りリンクのＮＡＳメッセージをバンドリングして送信する。尚、ＭＴＵを超過の場合は、アンカードナー基地局１００１の伝送処理部１０６４は、タイマーＴ２を強制的に満了させる。
【０１５１】
アンカードナー基地局１００１は、タイマーＴ１が満了するかどうかを判定する（ステップＳ１３１４）つまり、アンカードナー基地局１００１の伝送処理部１０６４は、タイマーＴ１の満了に該当するかどうかを判定する。
【０１５２】
タイマーＴ１の満了に該当すると判定された場合（ステップＳ１３１４：ＹＥＳ）、終了する。
【０１５３】
タイマーＴ１の満了に該当しないと判定された場合（ステップＳ１３１４：ＮＯ）、ステップＳ１３０６に戻る。
【０１５４】
＜Ｓ１ｐｒｏｘｙ情報を転送させない場合のハンドオーバ処理＞
図１４は、ソースドナー基地局１００２配下のリレーノード２００が、ターゲットドナー基地局１００３にハンドオーバする際の動作について示される。図１４には、リレーノード２００がハンドオーバした場合でも、Ｓ１ｐｒｏｘｙ情報は、アンカードナー基地局１００１が有している場合について示す。
【０１５５】
リレーノード２００配下のユーザ端末３００は、ソースドナー基地局１００２、アンカードナー基地局１００１を経由して、ＥＰＣ６００との間でＵ−Ｐｌａｎｅの通信を行う（ステップＳ１４０２）。
【０１５６】
以下、Ｓ１ＡＰ／Ｘ２ＡＰのプロトコルの終端は、呼処理制御部で実施される。但し、アンカードナー基地局とリレーノード間の通信を、ドナー基地局が中継する（専用のＧＴＰトンネルで中継する）ような場合には、ドナー基地局の呼処理制御部を介在させなくてもよい。
【０１５７】
リレーノード２００は、ソースドナー基地局１００２に、ＲＲＣプロトコルで、「メジャメントレポート（ＭＥＡＳＵＲＥＭＥＮＴ  ＲＥＰＯＲＴ）」を送信する（ステップＳ１４０４）。リレーノード２００の呼処理制御部２０６２は、伝送処理部２０６４、第１のベースバンド処理部２０８２、及びＲＦモジュール２０４を介在して、ＲＲＣプロトコルで、メジャメントレポートを送信する。メジャメントレポートは、ソースドナー基地局１００２のベースバンド処理部１０８２で、ＲＦモジュール１０４を介して受信される。
【０１５８】
ソースドナー基地局１００２は、ターゲットドナー基地局１００３に、Ｘ２ＡＰプロトコルで、「ハンドオーバリクエスト（ＨＡＮＤＯＶＥＲ  ＲＥＱＵＥＳＴ）」を送信する（ステップＳ１４０６）。該ハンドオーバリクエストには、アンカードナー基地局１００１のＩＰａｄｄｒｅｓｓ情報と、リレーノード２００のＩＰａｄｄｒｅｓｓとが含まれる。ソースドナー基地局１００２の呼処理制御部１０６２は、伝送処理部１０６４及び光モジュール１０２を介して、Ｘ２ＡＰプロトコルで、ハンドオーバリクエストを送信する。ハンドオーバリクエストは、ターゲットドナー基地局１００３の光モジュール１０２を介して伝送処理部１０６４で受信される。
【０１５９】
図１５は、ハンドオーバリクエストに含まれる情報の一実施例を示す。ハンドオーバリクエストについては、非特許文献３に記載されている。
【０１６０】
ハンドオーバリクエストの一実施例によれば、非特許文献３に記載されているハンドオーバリクエストに、Ｓ１ｐｒｏｘｙ情報を有するドナー基地局のＩＰアドレス（ＤｅＮＢ  ｗｉｔｈ  Ｓ１  ｐｒｏｘｙ  ｉｎｆｏｒｍａｔｉｏｎ  ＩＰ  ａｄｄｒｅｓｓ）と、リレーノードのＩＰアドレス（ＲＮ  ＩＰ  ａｄｄｒｅｓｓ）と、Ｓ１ｐｒｏｘｙ情報（Ｓ１  ｐｒｏｘｙ  Ｉｎｆｏｒｍａｔｉｏｎ）とが含まれる。
【０１６１】
さらに、Ｓ１ｐｒｏｘｙ情報には、ＵＥ情報リスト（ＵＥ  ｉｎｆｏｒｍａｔｉｏｎ  ｌｉｓｔ）が含まれる。ＵＥ情報リストには、１又は複数のＵＥ情報インフォメーションエレメント（ＵＥ  ｉｎｆｏｒｍａｔｉｏｎ  ＩＥｓ）が含まれる。
【０１６２】
ＵＥ情報インフォメーションエレメントには、Ｓｏｕｒｃｅ  ＭＭＥ  ＵＥ  Ｓ１ＡＰ  ＩＤと、Ｒｅｌａｔｅｄ  ＭＭＥ  ＵＥ  Ｓ１ＡＰ  ＩＤ  ｏｎ  Ｕｎと、Ｒｅｌａｔｅｄ  ｅＮＢ  ＵＥ  Ｓ１ＡＰ  ＩＤ  ｏｎ  Ｕｎと、ＥＲＡＢ  ｉｎｆｏｒｍａｔｉｏｎ  ｌｉｓｔとが含まれる。Ｓｏｕｒｃｅ  ＭＭＥ  ＵＥ  Ｓ１ＡＰ  ＩＤは、ソースドナー基地局を配下に有するＭＭＥとＵＥとの間のＳ１ＡＰのＩＤを表す。Ｒｅｌａｔｅｄ  ＭＭＥ  ＵＥ  Ｓ１ＡＰ  ＩＤ  ｏｎ  Ｕｎは、関連するＭＭＥとＵＥとの間の、Ｕｎ上のＳ１ＡＰのＩＤを表す。Ｒｅｌａｔｅｄ  ｅＮＢ  ＵＥ  Ｓ１ＡＰ  ＩＤ  ｏｎ  Ｕｎは、関連する基地局とＵＥとの間の、Ｕｎ上のＳ１ＡＰのＩＤを表す。ＥＲＡＢ  ｉｎｆｏｒｍａｔｉｏｎ  ｌｉｓｔは、無線ベアラ情報のリストを表す。
【０１６３】
ＥＲＡＢ  ｉｎｆｏｒｍａｔｉｏｎ  ｌｉｓｔには、１又は複数のＥＲＡＢアイテムインフォメーションエレメント（ＥＲＡＢ  ｉｔｅｍ  ＩＥｓ）が含まれる。
【０１６４】
ＥＲＡＢアイテムインフォメーションエレメントには、ＥＲＡＢ  ＩＤと、Ｒｅｌａｔｅｄ  ＵＬ  ＧＴＰ  Ｔｕｎｎｅｌ  Ｅｎｄｐｏｉｎｔ  ｏｎ  Ｕｎと、Ｒｅｌａｔｅｄ  ＤＬ  ＧＴＰ  Ｔｕｎｎｅｌ  Ｅｎｄｐｏｉｎｔ  ｏｎ  Ｕｎとが含まれる。
【０１６５】
ターゲットドナー基地局１００３は、Ｓ１ｐｒｏｘｙ情報を転送するハンドオーバを行うか、Ｓ１ｐｒｏｘｙ情報を転送しないハンドオーバを行うかを判断する（ステップＳ１４０８）。ターゲットドナー基地局１００３の呼処理制御部１０６２は、リレーノード２００をハンドオーバさせる際に、Ｓ１ｐｒｏｘｙ情報を転送するハンドオーバを行うか、Ｓ１ｐｒｏｘｙ情報を転送しないハンドオーバを行うかを判断する。ここでは、Ｓ１ｐｒｏｘｙ情報を転送しないハンドオーバを行うと判断される。
【０１６６】
ターゲットドナー基地局１００３は、ソースドナー基地局１００２に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ１４１０）。ターゲットドナー基地局１００３の呼処理制御部１０６２は、伝送処理部１０６４、及び光モジュール１０２を介して、Ｘ２ＡＰプロトコルで、ハンドオーバリクエストアクノリッジを送信する処理を行う。ハンドオーバリクエストアクノリッジは、ソースドナー基地局１００２の光モジュール１０２を介して伝送処理部１０６４で受信される。
【０１６７】
ソースドナー基地局１００２は、ターゲットドナー基地局１００３に、Ｘ２ＡＰプロトコルで、「ＳＮステータストランスファ（ＳＮ  ＳＴＡＴＵＳ  ＴＲＡＮＳＦＥＲ）」を送信する（ステップＳ１４１２）。ソースドナー基地局１００２の呼処理制御部１０６２は、伝送処理部１０６４、及び光モジュール１０２を介して、Ｘ２ＡＰプロトコルで、ＳＮステータストランスファを送信する処理を行う。ＳＮステータストランスファは、ターゲットドナー基地局１００３の光モジュール１０２を介して伝送処理部１０６４で受信される。
【０１６８】
ソースドナー基地局１００２は、リレーノード２００に、ＲＲＣプロトコルで、「ＲＲＣコネクションリコンフィグレーション（ＲＲＣ  ＣＯＮＮＥＣＴＩＯＮ  ＲＥＣＯＮＦＩＧＵＲＡＴＩＯＮ）」を送信する（ステップＳ１４１４）。ソースドナー基地局１００２の呼処理制御部１０６２は、ベースバンド処理部１０８２及びＲＦモジュール１０４を介して、ＲＲＣコネクションリコンフィグレーションを送信する。
【０１６９】
リレーノード２００は、ターゲットドナー基地局１００３に、ＲＲＣプロトコルで、「ＲＲＣコネクションリコンフィグレーションコンプリート（ＣＯＮＮＥＣＴＩＯＮ  ＲＥＣＯＮＦＩＧＵＲＡＴＩＯＮ  ＣＯＭＰＬＥＴＥ）」を送信する（ステップＳ１４１６）。リレーノード２００の呼処理制御部２０６２は、伝送処理部２０６４、第１のベースバンド処理部２０８２、及びＲＦモジュール２０４を介して、ＲＲＣコネクションリコンフィグレーションコンプリートを送信する。
【０１７０】
ターゲットドナー基地局１００３は、アンカードナー基地局１００１に、Ｘ２ＡＰプロトコルで、「リレーノードインフォルーティングリクエスト（ＲＮ  ｉｎｆｏ  Ｒｏｕｔｉｎｇ  Ｒｅｑｕｅｓｔ）」を送信する（ステップＳ１４１８）。ターゲットドナー基地局１００３の呼処理制御部２０６２は、伝送処理部１０６４、及び光モジュール１０２を介して、Ｘ２ＡＰプロトコルで、リレーノードインフォルーティングリクエストを送信する。つまり、ターゲットドナー基地局１００３は、アンカードナー基地局１００１との間で、リレーノード２００とアンカードナー基地局１００１との間で、データ転送用のＸ２ＡＰコネクション、ＧＴＰ−Ｕトンネルを設定するための要求を行う。
【０１７１】
図１６は、リレーノードインフォルーティングリクエスト（ＲＮ  Ｉｎｆｏ  Ｒｏｕｔｉｎｇ  Ｒｅｑｕｅｓｔ）の一実施例を示す。
【０１７２】
ＲＮ  Ｉｎｆｏ  Ｒｏｕｔｉｎｇ  Ｒｅｑｕｅｓｔには、メッセージタイプ（Ｍｅｓｓａｇｅ  Ｔｙｐｅ）と、切り替えられるリレーノードのＩＰアドレス（ＲＮ  ＩＰ  ａｄｄｒｅｓｓ  ｔｏ  ｂｅ  ｓｗｉｔｃｈｅｄ）と、ドナー基地局のトランスポートネットワークロード情報（Ｄｏｎｏｒ  ｅＮＢ  ＴＮＬ（Ｔｒａｎｓｐｏｒｔ  Ｎｅｔｗｏｒｋ  Ｌｏａｄ）  ｉｎｆｏｒｍａｔｉｏｎ）とが含まれる。
【０１７３】
ドナー基地局のトランスポートネットワークロード情報には、トランスポートレイヤアドレス（Ｔｒａｎｓｐｏｒｔ  ｌａｙｅｒ  ａｄｄｒｅｓｓ）と、ＧＴＰ−ＴＥＩＤとが含まれる。
【０１７４】
アンカードナー基地局１００１は、ターゲットドナー基地局１００３に、Ｘ２ＡＰプロトコルで、「リレーノードインフォルーティングレスポンス（ＲＮ  ｉｎｆｏ  Ｒｏｕｔｉｎｇ  Ｒｅｓｐｏｎｓｅ）」を送信する（ステップＳ１４２０）。
【０１７５】
図１７は、リレーノードインフォルーティングレスポンス（ＲＮ  Ｉｎｆｏ  Ｒｏｕｔｉｎｇ  Ｒｅｓｐｏｎｓｅ）の一実施例を示す。
【０１７６】
ＲＮ  Ｉｎｆｏ  Ｒｏｕｔｉｎｇ  Ｒｅｓｐｏｎｓｅには、メッセージタイプ（Ｍｅｓｓａｇｅ  Ｔｙｐｅ）と、切り替えられるリレーノードのＩＰアドレス（ＲＮ  ＩＰ  ａｄｄｒｅｓｓ  ｔｏ  ｂｅ  ｓｗｉｔｃｈｅｄ）と、ドナー基地局のトランスポートネットワークロード情報（Ｄｏｎｏｒ  ｅＮＢ  ＴＮＬ（Ｔｒａｎｓｐｏｒｔ  Ｎｅｔｗｏｒｋ  Ｌｏａｄ）  ｉｎｆｏｒｍａｔｉｏｎ）とが含まれる。
【０１７７】
ドナー基地局のトランスポートネットワークロード情報には、トランスポートレイヤアドレス（Ｔｒａｎｓｐｏｒｔ  ｌａｙｅｒ  ａｄｄｒｅｓｓ）と、ＧＴＰ−ＴＥＩＤとが含まれる。
【０１７８】
アンカードナー基地局１００１とターゲットドナー基地局１００３との間で、ＧＴＰトンネルが設定される。該ＧＴＰトンネルを利用して、アンカードナー基地局１００１は、ターゲット基地局１００３へ、リレーノード２００への送信するＣ−ｐｌａｎｅ及びＵ−ｐｌａｎｅを送信する。ターゲット基地局１００３は、リレーノード２００へ、ターゲット基地局１００３からのＣ−ｐｌａｎｅ及びＵ−ｐｌａｎｅのペイロード部に含まれる情報を送信する。ターゲット基地局１００３は、リレーノード２００へ、ペイロード部に含まれる情報を送信する際に、ＤＲＢ（Ｕｎ）プロトコルで送信する。
【０１７９】
また、ＧＴＰトンネルを利用して、ターゲット基地局１００３は、アンカードナー基地局１００１へ、リレーノード２００からのＣ−ｐｌａｎｅ及びＵ−ｐｌａｎｅを送信する。アンカードナー基地局１００１は、リレーノード２００からのＣ−ｐｌａｎｅ及びＵ−ｐｌａｎｅのペイロード部に含まれる情報を受信する。アンカードナー基地局１００１は、リレーノード２００からのＣ−ｐｌａｎｅ及びＵ−ｐｌａｎｅのペイロード部に含まれる情報を受信する際に、ＤＲＢ（Ｕｎ）プロトコルで受信する。
【０１８０】
リレーノード２００は、アンカードナー基地局１００１に、Ｓ１ＡＰプロトコルで、「Ｓ１セットアップリクエスト（Ｓ１ＳＥＴＵＰ  ＲＥＱＵＥＳＴ）」を送信する（ステップＳ１４２２）。リレーノード２００は、アンカードナー基地局を変更する要求を行う。リレーノード２００の呼処理制御部２０６２は、伝送処理部２０６４、第１のベースバンド処理部２０８２、ＲＦモジュール２０４を介して、Ｓ１ＡＰプロトコルで、Ｓ１セットアップリクエストを送信する処理を行う。
【０１８１】
アンカードナー基地局１００１は、リレーノード２００に、Ｓ１ＡＰプロトコルで、「Ｓ１セットアップレスポンス（Ｓ１ＳＥＴＵＰ  ＲＥＳＰＯＮＳＥ）」を送信する（ステップＳ１４２４）。ここでは、Ｓ１ｐｒｏｘｙ情報の転送は実行されないため、アンカードナー基地局１００１は、Ｓ１セットアップリクエストに対する応答を送信する。アンカードナー基地局１００１の呼処理制御部１０６２は、伝送処理部１０６４、ベースバンド処理部１０８２、及びＲＦモジュール１０４を介して、Ｘ２ＡＰプロトコルで、Ｓ１セットアップレスポンスを送信する処理を行う。
【０１８２】
リレーノード２００配下のユーザ端末３００は、リレーノード２００、ターゲットドナー基地局１００３、アンカードナー基地局１００１を経由して、ＥＰＣ６００との間でＵ−Ｐｌａｎｅの通信を行う（ステップＳ１４２６）。
【０１８３】
ターゲットドナー基地局１００３は、ソースドナー基地局１００２に、Ｘ２ＡＰプロトコルで、「ＵＥコンテキストリリース（ＵＥ  ＣＯＮＴＥＸＴ  ＲＥＬＥＡＳＥ）」を送信する（ステップＳ１４２８）。ターゲットドナー基地局１００３の呼処理制御部１０６２は、伝送処理部１０６４、及び光モジュール１０２を介して、Ｘ２ＡＰプロトコルで、ＵＥコンテキストリリースを送信する。
【０１８４】
＜ハンドオーバの種別を判定する処理＞
図１８は、ターゲットドナー基地局１００３により実行されるハンドオーバの種類を判定する処理の一実施例を示す。
【０１８５】
ターゲットドナー基地局１００３は、Ｘ２が確立されている隣接ドナー基地局との間の遅延量を測定する（ステップＳ１８０２）。つまり、伝送処理部１０６４は、光モジュール１０２を介して接続される隣接ドナー基地局との間の遅延量を測定する。具体的には、図１１に示されるフローチャートに従って、遅延量を測定する。
【０１８６】
ターゲットドナー基地局１００３は、リレーノード２００の移動に伴って、ソースドナー基地局１００２からのハンドオーバリクエストを受信する（ステップＳ１８０４）。つまり、ソースドナー基地局１００２は、配下のリレーノード２００をハンドオーバさせる際、ターゲットドナー基地局１００３に、ハンドオーバリクエストを送信する。該ハンドオーバリクエストは、ターゲットドナー基地局１００３の光モジュール１０２を介して、伝送処理部１０６４に入力される。
【０１８７】
ターゲットドナー基地局１００３は、アンカードナー基地局１００１との間の遅延量の情報があるかどうかを判定する（ステップＳ１８０６）。つまり、ターゲットドナー基地局１００３の伝送処理部１０６４は、アンカードナー基地局１００１との間の遅延量が測定されているかどうかを判定する。
【０１８８】
アンカードナー基地局１００１との間の遅延量の情報が測定されていると判定された場合（ステップＳ１８０６：ＹＥＳ）、ターゲットドナー基地局１００３は、アンカードナー基地局１００１との間の遅延量が閾値未満であるかどうかを判定する（ステップＳ１８０８）。つまり、ターゲットドナー基地局１００３の呼処理制御部１０６２は、アンカードナー基地局１００１との間の遅延量が測定されていると判定した場合、該アンカードナー基地局１００１との間の遅延量が閾値未満であるかどうかを判定する。
【０１８９】
アンカードナー基地局１００１との間の遅延量が閾値未満であると判定された場合（ステップＳ１８０８：ＹＥＳ）、ターゲットドナー基地局１００３は、ハンドオーバリクエストに応じた処理を行う。つまり、ターゲットドナー基地局１００３の呼処理制御部１０６２は、アンカードナー基地局１００１との間の遅延量が閾値未満であると判定した場合、ハンドオーバリクエストに応じた処理を行う。
【０１９０】
アンカードナー基地局１００３との間の遅延量の情報が測定されていないと判定された場合（ステップＳ１８０６：ＮＯ）、ターゲットドナー基地局１００３は、ハンドオーバプレパレーション処理を行う。つまり、ターゲットドナー基地局１００３の呼処理制御部１０６２は、アンカードナー基地局１００１との間の遅延量の情報が測定されていない判定した場合、ハンドオーバプレパレーション処理を行う。
【０１９１】
ステップＳ１８０８において、アンカードナー基地局１００１との間の遅延量が閾値以上であると判定された場合（ステップＳ１８０８：ＮＯ）、ターゲットドナー基地局１００３は、ハンドオーバプレパレーション処理を行う。つまり、ターゲットドナー基地局１００３の呼処理制御部１０６２は、アンカードナー基地局１００１との間の遅延量が閾値以上であると判定した場合、ハンドオーバプレパレーション処理を行う。
【０１９２】
＜Ｓ１ｐｒｏｘｙ情報を転送させる場合のハンドオーバ処理＞
図１９は、ソースドナー基地局１００２配下のリレーノード２００が、ターゲットドナー基地局１００３にハンドオーバする際の動作について示される。図１９には、リレーノード２００がハンドオーバした場合に、アンカードナー基地局１００１からターゲットドナー基地局１００３へ、Ｓ１ｐｒｏｘｙ情報を移動させる場合について示す。
【０１９３】
リレーノード２００配下のユーザ端末３００は、リレーノード２００、ソースドナー基地局１００２、アンカードナー基地局１００１を経由して、ＥＰＣ６００との間でＵ−Ｐｌａｎｅの通信を行う（ステップＳ１９０２）。
【０１９４】
リレーノード２００は、ソースドナー基地局１００２に、ＲＲＣプロトコルで、「メジャメントレポート（ＭＥＡＳＵＲＥＭＥＮＴ  ＲＥＰＯＲＴ）」を送信する（ステップＳ１９０４）。リレーノード２００の呼処理制御部２０６２は、伝送処理部２０６４、第１のベースバンド処理部２０８２、及びＲＦモジュール２０４を介して、ＲＲＣプロトコルで、メジャメントレポートを送信する処理を行う。
【０１９５】
ソースドナー基地局１００２は、ターゲットドナー基地局１００３に、Ｘ２ＡＰプロトコルで、「ハンドオーバリクエスト（ＨＡＮＤＯＶＥＲ  ＲＥＱＵＥＳＴ）」を送信する（ステップＳ１９０６）。該ハンドオーバリクエストには、アンカードナー基地局のＩＰａｄｄｒｅｓｓ情報と、リレーノードのＩＰａｄｄｒｅｓｓとが含まれる。ソースドナー基地局１００２の呼処理制御部１０６２は、伝送処理部１０６４、及び光モジュール１０２を介して、Ｘ２ＡＰプロトコルで、ハンドオーバリクエストを送信する。
【０１９６】
ターゲットドナー基地局１００３は、Ｓ１ｐｒｏｘｙ情報を転送するハンドオーバを行うか、Ｓ１ｐｒｏｘｙ情報を転送しないハンドオーバを行うかを判断する（ステップＳ１９０８）。ターゲットドナー基地局１００３の伝送処理部１０６４は、リレーノード２００をハンドオーバさせる際に、Ｓ１ｐｒｏｘｙ情報を転送するハンドオーバを行うか、Ｓ１ｐｒｏｘｙ情報を転送しないハンドオーバを行うかを判断する。ここでは、Ｓ１ｐｒｏｘｙ情報を転送するハンドオーバを行うと判断される。
【０１９７】
ターゲットドナー基地局１００３は、ソースドナー基地局１００２に、Ｘ２ＡＰプロトコルで、「ハンドオーバプレパレイションフェイリャー（ＨＡＮＤＯＶＥＲ  ＰＲＥＰＡＲＡＴＩＯＮ  ＦＡＩＬＵＲＥ）」を送信する（ステップＳ１９１０）。ターゲットドナー基地局１００３の呼処理制御部１０６２は、伝送処理部１０６４、及び光モジュール１０２を介して、Ｘ２ＡＰプロトコルで、ハンドオーバプレパレイションフェイリャーを送信する。
【０１９８】
ソースドナー基地局１００２は、アンカードナー基地局１００１に、Ｘ２ＡＰプロトコルで、「ハンドオーバリクエスト（ＨＡＮＤＯＶＥＲ  ＲＥＱＵＥＳＴ）」を送信する（ステップＳ１９１２）。つまり、ソースドナー基地局１００２の呼処理制御部１０６２は、伝送処理部１０６４、及び光モジュール１０２を介して、Ｘ２ＡＰプロトコルで、ハンドオーバリクエストを送信する。該ハンドオーバリクエストには、アンカードナー基地局１００１のＩＰａｄｄｒｅｓｓ情報が含まれる。また、該ハンドオーバリクエストには、ターゲットドナー基地局１００３のＩＰａｄｄｒｅｓｓ情報と、リレーノード２００のＩＰａｄｄｒｅｓｓ情報とが含まれてもよい。
【０１９９】
アンカードナー基地局１００１には、当該アンカードナー基地局１００１において管理されているリレーノード２００のＩＰアドレスと、ソースドナー基地局１００２からのリレーノード２００のＩＰａｄｄｒｅｓｓ情報とが含まれる。アンカードナー基地局１００１は、ソースドナー基地局１００２からリレーノード２００のＩＰａｄｄｒｅｓｓ情報が通知されたことにより、Ｓ１ｐｒｏｘｙ情報を転送するためのハンドオーバメッセージを送信するための契機を認識することができる。
【０２００】
アンカードナー基地局１００１は、ターゲットドナー基地局１００３に、Ｘ２ＡＰプロトコルで、「ハンドオーバリクエスト（ＨＡＮＤＯＶＥＲ  ＲＥＱＵＥＳＴ）」を送信する（ステップＳ１９１４）。つまり、アンカードナー基地局１００１の呼処理制御部１０６２は、伝送処理部１０６４、及び光モジュール１０２を介して、Ｘ２ＡＰプロトコルで、ハンドオーバリクエストを送信する。該ハンドオーバリクエストには、Ｓ１ｐｒｏｘｙ情報と、リレーノードのＩＰａｄｄｒｅｓｓとが含まれる。
【０２０１】
ターゲットドナー基地局１００３は、Ｓ１ｐｒｏｘｙ情報を転送するハンドオーバを行うことを認識する（ステップＳ１９１６）。ターゲットドナー基地局１００３の呼処理制御部１０６２は、Ｓ１ｐｒｏｘｙ情報を転送するハンドオーバを行うことを認識する。
【０２０２】
ターゲットドナー基地局１００３は、アンカードナー基地局１００１に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ１９１８）。ターゲットドナー基地局１００３の呼処理制御部１０６２は、伝送処理部１０６４、及び光モジュール１０２を介して、Ｘ２ＡＰプロトコルで、ハンドオーバリクエストアクノリッジを送信する。
【０２０３】
アンカードナー基地局１００１は、ソースドナー基地局１００２に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ１９２０）。アンカードナー基地局１００１の呼処理制御部１０６２は、伝送処理部１０６４、及び光モジュール１０２を介して、Ｘ２ＡＰプロトコルで、ハンドオーバリクエストアクノリッジを送信する。
【０２０４】
ソースドナー基地局１００２は、アンカードナー基地局１００１に、Ｘ２ＡＰプロトコルで、「ＳＮステータストランスファ（ＳＮ  ＳＴＡＴＵＳ  ＴＲＡＮＳＦＥＲ）」を送信する（ステップＳ１９２２）。ソースドナー基地局１００２の呼処理制御部１０６２は、伝送処理部１０６４、及び光モジュール１０２を介して、Ｘ２ＡＰプロトコルで、ＳＮステータストランスファを送信する。
【０２０５】
アンカードナー基地局１００１は、ターゲットドナー基地局１００３に、Ｘ２ＡＰプロトコルで、「ＳＮステータストランスファ（ＳＮ  ＳＴＡＴＵＳ  ＴＲＡＮＳＦＥＲ）」を送信する（ステップＳ１９２４）。アンカードナー基地局１００１の呼処理制御部１０６２は、伝送処理部１０６４、及び光モジュール１０２を介して、Ｘ２ＡＰプロトコルで、ＳＮステータストランスファを送信する。
【０２０６】
ソースドナー基地局１００２は、リレーノード２００に、ＲＲＣプロトコルで、「ＲＲＣ  コネクションリコンフィグレーション（ＲＲＣ  ＣＯＮＮＥＣＴＩＯＮ  ＲＥＣＯＮＦＩＧＵＲＡＴＩＯＮ）」を送信する（ステップＳ１９２６）。ソースドナー基地局１００２の呼処理制御部１０６２は、伝送処理部１０６４、ベースバンド処理部１０８２、及びＲＦモジュール１０４を介して、ＲＲＣプロトコルで、ＲＲＣ  コネクションリコンフィグレーションを送信する。該ＲＲＣ  コネクションリコンフィグレーションには、ターゲットドナー基地局１００３のＩＰａｄｄｒｅｓｓが含まれる。
【０２０７】
リレーノード２００は、ターゲットドナー基地局１００３に、ＲＲＣプロトコルで、「ＲＲＣコネクションリコンフィグレーションコンプリート（ＣＯＮＮＥＣＴＩＯＮ  ＲＥＣＯＮＦＩＧＵＲＡＴＩＯＮ  ＣＯＭＰＬＥＴＥ）」を送信する（ステップＳ１９２８）。リレーノード２００の呼処理制御部１０６２は、伝送処理部２０６４、第１のベースバンド処理部２０８２、及びＲＦモジュール２０４を介して、ＲＲＣプロトコルで、ＲＲＣコネクションリコンフィグレーションコンプリートを送信する。
【０２０８】
リレーノード２００は、ターゲットドナー基地局１００３に、Ｓ１ＡＰプロトコルで、「Ｓ１セットアップリクエスト（Ｓ１  ＳＥＴＵＰ  ＲＥＱＵＥＳＴ）」を送信する（ステップＳ１９３０）。リレーノード２００の呼処理制御部１０６２は、伝送処理部２０６４、第１のベースバンド処理部２０８２、及びＲＦモジュール２０４を介して、Ｓ１ＡＰプロトコルで、Ｓ１セットアップリクエストを送信する。
【０２０９】
ターゲットドナー基地局１００３は、リレーノード２００に、Ｓ１ＡＰプロトコルで、「Ｓ１セットアップレスポンス（Ｓ１  ＳＥＴＵＰ  ＲＥＳＰＯＮＳＥ）」を送信する（ステップＳ１９３２）。ターゲットドナー基地局１００３の呼処理制御部１０６２は、伝送処理部１０６４、ベースバンド処理部１０８２、及びＲＦモジュール１０４を介して、Ｓ１ＡＰプロトコルで、Ｓ１セットアップレスポンスを送信する。
【０２１０】
ここで、リレーノード２００のトラッキングエリアが新規である場合について説明する。
【０２１１】
ターゲットドナー基地局１００３は、ＥＰＣ６００に、Ｓ１ＡＰプロトコルで、「ｅＮＢコンフィグレーションアップデート（ｅＮＢ  ＣＯＮＦＩＧＵＲＡＴＩＯＮ  ＵＰＤＡＴＥ）」を送信する（ステップＳ１９３４）。ターゲットドナー基地局１００３の呼処理制御部１０６２は、伝送処理部１０６４、及び光モジュール１０２を介して、Ｓ１ＡＰプロトコルで、ｅＮＢコンフィグレーションアップデートを送信する。
【０２１２】
ＥＰＣ６００は、ターゲットドナー基地局１００３に、Ｓ１ＡＰプロトコルで、「ｅＮＢコンフィグレーションアップデートアクノリッジ（ｅＮＢ  ＣＯＮＦＩＧＵＲＡＴＩＯＮ  ＵＰＤＡＴＥ  ＡＣＫＮＯＷＬＥＤＧＥ）」を送信する（ステップＳ１９３６）。
【０２１３】
ターゲットドナー基地局１００３は、アンカードナー基地局１００１、及びソースドナー基地局１００２に、Ｓ１ＡＰプロトコルで、「ｅＮＢコンフィグレーションアップデート（ｅＮＢ  ＣＯＮＦＩＧＵＲＡＴＩＯＮ  ＵＰＤＡＴＥ）」を送信する（ステップＳ１９３８）。ターゲットドナー基地局１００３の呼処理制御部１０６２は、伝送処理部１０６４、伝送処理部１０６４、及び光モジュール１０２を介して、Ｓ１ＡＰプロトコルで、ｅＮＢコンフィグレーションアップデートを送信する。
【０２１４】
アンカードナー基地局１００１、及びソースドナー基地局１００２は、ターゲットドナー基地局１００３に、Ｓ１ＡＰプロトコルで、「ｅＮＢコンフィグレーションアップデートアクノリッジ（ｅＮＢ  ＣＯＮＦＩＧＵＲＡＴＩＯＮ  ＵＰＤＡＴＥ  ＡＣＫＮＯＷＬＥＤＧＥ）」を送信する（ステップＳ１９４０）。アンカードナー基地局１００１、及びソースドナー基地局１００２の呼処理制御部１０６２は、伝送処理部１０６４、及び光モジュール１０２を介して、Ｓ１ＡＰプロトコルで、ｅＮＢコンフィグレーションアップデートアクノリッジを送信する。
【０２１５】
リレーノード２００のトラッキングエリアが新規でない場合には、ステップＳ１９３４−Ｓ１９４０の処理は行わないようにしてもよい。
【０２１６】
ターゲットドナー基地局１００３は、ＥＰＣ６００に、Ｓ１ＡＰプロトコルで、「グループパススイッチリクエスト（ＧＲＯＵＰ  ＰＡＴＨ  ＳＷＩＴＣＨ  ＲＥＱＵＥＳＴ）」を送信する（ステップＳ１９４２）。ターゲットドナー基地局１００３の呼処理制御部１０６２は、伝送処理部１０６４、及び光モジュール１０２を介して、Ｓ１ＡＰプロトコルで、グループパススイッチリクエストを送信する。ターゲットドナー基地局１００３は、Ｓ１ｐｒｏｘｙ情報を含んだハンドオーバ手順を実施する。また、リレーノード２００配下のユーザ端末分のパススイッチ手順を実行するために、複数のユーザ端末情報を指定できるインタフェース（ＩＦ）が定義される。該ＩＦを利用して、ターゲットドナー基地局１００３は、ＥＰＣ６００側への切り替えを行う。
【０２１７】
また、ＥＰＣ６００側でも、複数のユーザ端末を同時に変更するためのＩＦが定義されてもよい。該ＩＦを利用して、ＥＰＣ６００は、ＧＴＰ−CのＭＯＤＩＦＹ  ベアラ手順を実施するようにしてもよい。
【０２１８】
図２０は、グループパススイッチリクエストの一実施例を示す。グループパススイッチリクエストの一実施例では、パススイッチリクエストが複数のユーザ端末について設定される。パススイッチリクエストについては、非特許文献５に記載されている。
【０２１９】
グループパススイッチリクエストは、「ＵＥ  ｉｎｆｏｒｍａｔｉｏｎ  ｌｉｓｔ」と、「ＵＥ  ｉｎｆｏｒｍａｔｉｏｎ  ＩＥｓ」とを含む点が、パススイッチリクエストとは異なる。
【０２２０】
ＥＰＣ６００は、ターゲットドナー基地局１００３に、ＧＴＰ−Ｃプロトコルで、「クリエイトセッションリクエスト（フォアリレーノード）（Ｃｒｅａｔｅ  Ｓｅｓｓｉｏｎ  Ｒｅｑｕｅｓｔ（ｆｏｒ  ＲＮ）」を送信する（ステップＳ１３４４）。
【０２２１】
ターゲットドナー基地局１００３は、ＥＰＣ６００に、ＧＴＰ−Ｃプロトコルで、「クリエイトセッションレスポンス（フォアリレーノード）（Ｃｒｅａｔｅ  Ｓｅｓｓｉｏｎ  Ｒｅｓｐｏｎｓｅ（ｆｏｒ  ＲＮ）」を送信する（ステップＳ１９４６）。ターゲットドナー基地局１００３の呼処理制御部１０６２は、伝送処理部１０６４、及び光モジュール１０２を介して、ＧＴＰ−Ｃプロトコルで、クリエイトセッションレスポンスを送信する。
【０２２２】
ＥＰＣ６００は、ターゲットドナー基地局１００３に、Ｓ１ＡＰプロトコルで、「グループパススイッチリクエストアクノリッジ（ＧＲＯＵＰ  ＰＡＴＨ  ＳＷＩＴＣＨ  ＲＥＱＵＥＳＴ  ＡＣＫＮＯＷＬＥＤＧＥ）」を送信する（ステップＳ１９４８）。
【０２２３】
図２１は、グループパススイッチリクエストアクノリッジの一実施例を示す。グループパススイッチリクエストアクノリッジの一実施例では、パススイッチリクエストアクノリッジが複数のユーザ端末について設定される。パススイッチリクエストアクノリッジについては、非特許文献５に記載されている。
【０２２４】
グループパススイッチリクエストアクノリッジは、「ＵＥ  ｉｎｆｏｒｍａｔｉｏｎ  ｌｉｓｔ」と、「ＵＥ  ｉｎｆｏｒｍａｔｉｏｎ  ＩＥｓ」とを含む点が、パススイッチリクエストアクノリッジとは異なる。
【０２２５】
リレーノード２００配下のユーザ端末３００は、リレーノード２００、ターゲットドナー基地局１００３を経由して、ＥＰＣ６００との間でＵ−Ｐｌａｎｅの通信を行う（ステップＳ１９５０）。
【０２２６】
ターゲットドナー基地局１００３は、アンカードナー基地局１００１に、Ｘ２ＡＰプロトコルで、「ＵＥ  コンテキストリリース（ＵＥ  ＣＯＮＴＥＸＴ  ＲＥＬＥＡＳＥ）」を送信する（ステップＳ１９５２）。ターゲットドナー基地局１００３の呼処理制御部１０６２は、伝送処理部１０６４、及び光モジュール１０２を介して、Ｘ２ＡＰプロトコルで、ＵＥコンテキストリリースを送信する。
【０２２７】
アンカードナー基地局１００１は、ソースドナー基地局１００３に、Ｘ２ＡＰプロトコルで、「ＵＥコンテキストリリース（ＵＥ  ＣＯＮＴＥＸＴ  ＲＥＬＥＡＳＥ）」を送信する（ステップＳ１９５４）。アンカードナー基地局１００１の呼処理制御部１０６２は、伝送処理部１０６４、及び光モジュール１０２を介して、Ｘ２ＡＰプロトコルで、ＵＥコンテキストリリースを送信する。
【０２２８】
ＥＰＣ６００は、アンカードナー基地局１００１に、ＧＴＰ−Ｃプロトコルで、「ディレートセッションリクエスト（フォアリレーノード）（Ｄｅｌｅｔｅ  Ｓｅｓｓｉｏｎ  Ｒｅｑｕｅｓｔ（ｆｏｒ  ＲＮ）」を送信する（ステップＳ１９５６）。
【０２２９】
アンカードナー基地局１００１は、ＥＰＣ６００に、ＧＴＰ−Ｃプロトコルで、「ディレートセッションレスポンス（フォアリレーノード）（Ｄｅｌｅｔｅ  Ｓｅｓｓｉｏｎ  Ｒｅｓｐｏｎｓｅ（ｆｏｒ  ＲＮ）」を送信する（ステップＳ１９５８）。アンカードナー基地局１００１の呼処理制御部１０６２は、伝送処理部１０６４、及び光モジュール１０２を介して、ＧＴＰ−Ｃプロトコルで、ディレートセッションレスポンスを送信する。
【０２３０】
＜移動体から降車する際の動作＞
図２２は、リレーノード２００配下のユーザ端末３００が、ターゲットドナー基地局１００３にハンドオーバする際の動作について示される。図２２には、アンカードナー基地局１００１が、ユーザ端末３００のＳ１ｐｒｏｘｙ情報を有している場合について示す。
【０２３１】
ユーザ端末３００は、リレーノード２００に、ＲＲＣプロトコルで、「メジャメントレポート（ＭＥＡＳＵＲＥＭＥＮＴ  ＲＥＰＯＲＴ）」を送信する（ステップＳ２２０２）。
【０２３２】
リレーノード２００は、アンカードナー基地局１００１に、Ｘ２ＡＰプロトコルで、「ハンドオーバリクエスト（ＨＡＮＤＯＶＥＲ  ＲＥＱＵＥＳＴ）」を送信する（ステップＳ２２０４）。リレーノード２００の呼処理制御部２０６２は、伝送処理部２０６４、第１のベースバンド処理部２０８２、及びＲＦモジュール２０４を介して、Ｘ２ＡＰプロトコルで、ハンドオーバリクエストを送信する。リレーノード２００は、隣接セルとして、ターゲットドナー基地局１００３配下のセル情報を把握している。Ｘ２はドナー基地局を経由して確立されるため、リレーノード２００は、アンカードナー基地局１００１に、Ｘ２ＡＰプロトコルで、「ハンドオーバリクエスト」を送信する。
【０２３３】
アンカードナー基地局１００１は、ターゲットドナー基地局１００３に、Ｘ２ＡＰプロトコルで、「ハンドオーバリクエスト（ＨＡＮＤＯＶＥＲ  ＲＥＱＵＥＳＴ）」を送信する（ステップＳ２２０６）。アンカードナー基地局１００１の呼処理制御部１０６２は、伝送処理部１０６４、及び光モジュール１０２を介して、Ｘ２ＡＰプロトコルで、ハンドオーバリクエストを送信する。
【０２３４】
ターゲットドナー基地局１００３は、アンカードナー基地局１００１に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ２２０８）。ターゲットドナー基地局１００３の呼処理制御部１０６２は、伝送処理部１０６４、及び光モジュール１０２を介して、Ｘ２ＡＰプロトコルで、ハンドオーバリクエストアクノリッジを送信する。
【０２３５】
アンカードナー基地局１００１は、リレーノード２００に、Ｘ２ＡＰプロトコルで、「ハンドオーバリクエストアクノリッジ（ＨＡＮＤＯＶＥＲ  ＲＥＱＵＥＳＴ  ＡＣＫＮＯＷＬＥＤＧＥ）」を送信する（ステップＳ２２１０）。アンカードナー基地局１００１の呼処理制御部１０６２は、伝送処理部１０６４、ベースバンド処理部１０８２、及びＲＦモジュール１０４を介して、Ｘ２ＡＰプロトコルで、ハンドオーバリクエストアクノリッジを送信する。
【０２３６】
リレーノード２００は、アンカードナー基地局１００１に、Ｘ２ＡＰプロトコルで、「ＳＮステータストランスファ（ＳＮ  ＳＴＡＴＵＳ  ＴＲＡＮＳＦＥＲ）」を送信する（ステップＳ２２１２）。リレーノード２００の呼処理制御部２０６２は、伝送処理部２０６４、第１のベースバンド処理部２０８２、及びＲＦモジュール２０４を介して、Ｘ２ＡＰプロトコルで、ＳＮステータストランスファを送信する。
【０２３７】
アンカードナー基地局１００１は、ターゲットドナー基地局１００３に、Ｘ２ＡＰプロトコルで、「ＳＮステータストランスファ（ＳＮ  ＳＴＡＴＵＳ  ＴＲＡＮＳＦＥＲ）」を送信する（ステップＳ２２１４）。アンカードナー基地局１００１の呼処理制御部１０６２は、伝送処理部１０６４、及び光モジュール１０２を介して、Ｘ２ＡＰプロトコルで、ＳＮステータストランスファを送信する。
【０２３８】
リレーノード２００は、ユーザ端末３００に、ＲＲＣプロトコルで、「ＲＲＣコネクションリコンフィグレーション（ＲＲＣ  ＣＯＮＮＥＣＴＩＯＮ  ＲＥＣＯＮＦＩＧＵＲＡＴＩＯＮ）」を送信する（ステップＳ２２１６）。リレーノード２００の呼処理制御部２０６２は、伝送処理部２０６４、第２のベースバンド処理部２０８４、及びＲＦモジュール２０４を介して、ＲＲＣコネクションリコンフィグレーションを送信する。
【０２３９】
ユーザ端末３００は、ターゲットドナー基地局１００３に、ＲＲＣプロトコルで、「ＲＲＣコネクションリコンフィグレーションコンプリート（ＲＲＣ  ＣＯＮＮＥＣＴＩＯＮ  ＲＥＣＯＮＦＩＧＵＲＡＴＩＯＮ  ＣＯＭＰＬＥＴＥ）」を送信する（ステップＳ２２１８）。
【０２４０】
ターゲットドナー基地局１００３は、ＥＰＣ６００に、Ｓ１ＡＰプロトコルで、「パススイッチリクエスト（ＰＡＴＨ  ＳＷＩＴＣＨ  ＲＥＱＵＥＳＴ）」を送信する（ステップＳ２２２０）。ターゲットドナー基地局１００３の呼処理制御部１０６２は、伝送処理部１０６４、及び光モジュール１０２を介して、Ｓ１ＡＰプロトコルで、パススイッチリクエストを送信する。
【０２４１】
ＥＰＣ６００は、ターゲットドナー基地局１００３に、Ｓ１ＡＰプロトコルで、「パススイッチリクエストアクノリッジ（ＰＡＴＨ  ＳＷＩＴＣＨ  ＲＥＱＵＥＳＴ  ＡＣＫＮＯＷＬＥＤＧＥ）」を送信する（ステップＳ２２２２）。
【０２４２】
ターゲットドナー基地局１００３は、アンカードナー基地局１００１に、Ｘ２ＡＰプロトコルで、「ＵＥコンテキストリリース（ＵＥ  ＣＯＮＴＥＸＴ  ＲＥＬＥＡＳＥ）」を送信する（ステップＳ２２２４）。ターゲットドナー基地局１００３の呼処理制御部１０６２は、伝送処理部１０６４、及び光モジュール１０２を介して、Ｘ２ＡＰプロトコルで、ＵＥコンテキストリリースを送信する。
【０２４３】
アンカードナー基地局１００１は、リレーノード２００に、Ｘ２ＡＰプロトコルで、「ＵＥコンテキストリリース（ＵＥ  ＣＯＮＴＥＸＴ  ＲＥＬＥＡＳＥ）」を送信する（ステップＳ２２２６）。アンカードナー基地局１００１の呼処理制御部１０６２は、伝送処理部１０６４、ベースバンド処理部１０８２、及びＲＦモジュール１０４を介して、Ｘ２ＡＰプロトコルで、ＵＥコンテキストリリースを送信する。
【０２４４】
ユーザ端末３００は、ＥＰＣ６００に、ＮＡＳプロトコルで、「トラッキングエリアアップデートリクエスト（ＴＡＵ  Ｒｅｑ）」を送信する（ステップＳ２２２８）。ユーザ端末３００により送信されたトラッキングエリアアップデートリクエストは、ターゲットドナー基地局１００３、アンカードナー基地局１００１を経由して、ＥＰＣ６００に送信される。アンカードナー基地局１００１は、このＮＡＳプロトコルで送信される上りリンクのメッセージに対して、ＳＴＣＰ層におけるバンドリング処理を実施する。つまり、ＳＣＴＰ層以下のヘッダ情報を共通化させる。ＳＴＣＰ層におけるバンドリング処理を実施することにより、ＥＰＣ６００における処理負荷を低減できる。
【０２４５】
ＥＰＣ６００は、ユーザ端末３００に、ＮＡＳプロトコルで、「トラッキングエリアアップデートアクセプト（ＴＡＵ  Ａｃｃｅｐｔ）」を送信する（ステップＳ２２３０）。
【０２４６】
ユーザ端末３００は、ＥＰＣ６００に、ＮＡＳプロトコルで、「トラッキングエリアアップデートコンプリート（ＴＡＵ  Ｃｏｍｐｌｅｔｅ）」を送信する（ステップＳ２２３２）。アンカードナー基地局１００１は、このＮＡＳプロトコルで送信される上りリンクのメッセージに対して、ＳＴＣＰ層におけるバンドリング処理を実施する。つまり、ＳＣＴＰ層以下のヘッダ情報を共通化させる。ＳＴＣＰ層におけるバンドリング処理を実施することにより、ＥＰＣ６００における処理負荷を低減できる。
【０２４７】
本実施例によれば、Ｕ−ｐｌａｎｅの最上位のレイヤーであるＧＴＰ−Ｕレイヤーにより、隣接する基地局との間の遅延量を測定することができる。
【０２４８】
また、ドナー基地局間でリレーノードをハンドオーバさせる際に、Ｓ１ｐｒｏｘｙ情報を有するドナー基地局と、ハンドオーバ先のドナー基地局との間の遅延が小さい場合には、Ｓ１ｐｒｏｘｙ情報を移動させずにハンドオーバを行う。ハンドオーバ先のドナー基地局は、リレーノードとＵｕを終端する。
【０２４９】
また、ドナー基地局間でリレーノードをハンドオーバさせる際に、Ｓ１ｐｒｏｘｙ情報を有するドナー基地局と、ハンドオーバ先のドナー基地局との間の遅延が大きい場合には、ハンドオーバ先のドナー基地局に、Ｓ１ｐｒｏｘｙ情報を移動させるハンドオーバを行う。ハンドオーバ先のドナー基地局は、リレーノードとＵｕを終端する。この場合、ＥＰＣに対して実行させる手順、及び該手順に付随する手順については、リレーノード配下のユーザ端末について略同時に実施される。
【０２５０】
ユーザ端末がリレーノードからドナー基地局へハンドオーバする際には、所定の時間の間は、ドナー基地局は、上りリンクで送信されるＮＡＳ信号をＳＣＴＰでバンドリングして送信する。つまり、ＳＣＴＰレイヤー配下のヘッダ情報を共通化させる。
【０２５１】
以上の実施例を含む実施形態に関し、更に以下の付記を開示する。
（付記１）
第1の基地局と、該第1の基地局と無線通信を行う中継局とを有する無線通信システムであって、
前記第1の基地局は、
上位局と前記第1の基地局との間で設定されるプロトコルと、該第1の基地局と中継局との間で設定されるプロトコルとの間を調整するための情報を保持する第２の基地局との間でインタフェースを設定する制御部と、
該制御部により設定されたインタフェースを介して、上位局との間で通信を行う通信モジュールと
を有し、
前記中継局は、
前記第２の基地局との間で設定されるインタフェースを介して、該第２の基地局との間で、プロトコルの設定を行う制御部
を有する、無線通信システム。
（付記２）
付記１に記載の無線通信システムにおいて、
前記第１の基地局には、前記中継局のハンドオーバ先となる基地局が含まれる、無線通信システム。
（付記３）
付記１又は２に記載の無線通信システムにおいて、
前記中継局の制御部は、前記第２の基地局から通知される接続再設定に含まれるハンド
オーバ先となる基地局を表す情報に従って、該ハンドオーバ先となる基地局との間で、接続再設定を行う、無線通信システム。
（付記４）
中継局と通信を行う基地局であって、
上位局と前記基地局との間で設定されるプロトコルと、該基地局と中継局との間で設定されるプロトコルとの間を調整するための情報を保持する他の基地局との間でインタフェースを設定する制御部と、
該制御部により設定されたインタフェースを介して、上位局との間で通信を行う通信モジュールと
を有する基地局。
（付記５）
付記４に記載の基地局において、
前記制御部は、所定のメッセージを送信してから、該所定のメッセージの応答を受信するまでの時間が所定の閾値未満である場合に、前記他の基地局との間でインタフェースを設定する、基地局。
（付記６）
付記４又は５に記載の基地局において、
前記制御部は、所定のメッセージを送信してから、該所定のメッセージの応答を受信するまでの時間が所定の閾値以上である場合に、前記他の基地局から前記情報を取得する、基地局。
（付記７）
付記６に記載の基地局において、
前記制御部は、前記上位局に、前記中継局配下のユーザ端末のパススイッチを要求する、基地局。
（付記８）
付記４ないし７のいずれか1項に記載の基地局において、
前記制御部は、前記他の基地局との間で所定のプロトコルトンネルを設定する、基地局。
（付記９）
付記４に記載の基地局において、
前記他の基地局は、複数のユーザ端末からの上りリンク信号をバンドリングして、前記上位局へ送信する、基地局。
（付記１０）
基地局と無線通信を行う中継局であって、
上位局と前記基地局との間で設定されるプロトコルと、該基地局と前記中継局との間で設定されるプロトコルとの間を調整するための情報を保持する他の基地局との間で設定されるインタフェースを介して、該他の基地局との間で、プロトコルの設定を行う制御部
を有する中継局。
（付記１１）
第１の基地局と、該第１の基地局と無線通信を行う中継局とを有する無線通信システムにおける通信方法であって、
前記第１の基地局は、
上位局と前記第１の基地局との間で設定されるプロトコルと、該第１の基地局と中継局との間で設定されるプロトコルとの間を調整するための情報を保持する第２の基地局との間でインタフェースを設定し、該インタフェースを介して、上位局との間で通信を行い、
前記中継局は、
前記第２の基地局との間で設定されるインタフェースを介して、該第２の基地局との間で、プロトコルの設定を行う、通信方法。
（付記１２）
付記４に記載の基地局において、
前記制御部は、前記他の基地局との間で、Ｘ２アプリケーションプロトコルコネクションを設定する、基地局。
（付記１３）
付記５に記載の基地局において、
前記制御部は、ハンドオーバ元の基地局からのハンドオーバ要求に含まれる前記情報に基づいて、所定のメッセージを送信してから、該所定のメッセージの応答を受信するまでの時間を測定する、基地局。
（付記１４）
付記１３に記載の基地局において、
前記制御部は、Ｅｃｈｏ  Ｒｅｑｕｅｓｔを送信してから、Ｅｃｈｏ  Ｒｅｓｐｏｎｅを受信するまでの時間を測定する、基地局。
（付記１５）
付記７に記載の基地局において、
前記制御部は、複数のユーザ端末に関する情報が設定されたインタフェースを介して、パススイッチを要求する、基地局。
（付記１６）
付記１５に記載の基地局において、
前記上位局は複数のユーザ端末に対して、略同時にＧＴＰ−Ｕのベアラを修正する、基地局。
（付記１７）
付記８に記載の基地局において、
前記他の基地局は、ＳＣＴＰ層以下のヘッダ情報を共通化させる、基地局。
【符号の説明】
【０２５２】
１００、１００ｍ（ｍは、ｍ＞０の整数）  ドナー基地局
１０２  光モジュール
１０４  ＲＦモジュール
１０６  ＣＰＵ
１０８  ＤＳＰ
２００  リレーノード
２０４  ＲＦモジュール
２０６  ＣＰＵ
２０８  ＤＳＰ
３００  ユーザ端末
４００  基地局
５００ｎ（ｎは、ｎ＞０の整数）  ＭＭＥ／Ｓ−ＧＷ
６００  ＥＰＣ
１０６２  呼処理制御部
１０６４  伝送処理部
１０８２  ベースバンド処理部
１０６６  メモリ
２０６２  呼処理制御部
２０６４  伝送処理部
２０６６  メモリ
２０８２  第１のベースバンド処理部
２０８４  第２のベースバンド処理部
【図１】
2013197895.tif 000003
【図２】
2013197895.tif 000004
【図３】
2013197895.tif 000005
【図４】
2013197895.tif 000006
【図５】
2013197895.tif 000007
【図６】
2013197895.tif 000008
【図７】
2013197895.tif 000009
【図８】
2013197895.tif 000010
【図９】
2013197895.tif 000011
【図１０】
2013197895.tif 000012
【図１１】
2013197895.tif 000013
【図１２】
2013197895.tif 000014
【図１３】
2013197895.tif 000015
【図１４】
2013197895.tif 000016
【図１５】
2013197895.tif 000017
【図１６】
2013197895.tif 000018
【図１７】
2013197895.tif 000019
【図１８】
2013197895.tif 000020
【図１９】
2013197895.tif 000021
【図２０】
2013197895.tif 000022
【図２１】
2013197895.tif 000023
【図２２】
2013197895.tif 000024